(57)【特許請求の範囲】
【請求項１】
無線通信システムにおいて端末（ＵＥ）がチャネル状態情報（Channel State Information：ＣＳＩ）を報告する方法であって、
基地局から前記ＣＳＩを報告するための報告周期とオフセットに関する構成情報を受信する段階と、
前記報告周期とオフセットは、それぞれの上りリンク（ＵＬ）帯域幅部分（bandwidth part：ＢＷＰ）に対して個別に設定され、
それぞれのＵＬ−ＢＷＰに対して、ｐｈｙｓｉｃａｌ  ｕｐｌｉｎｎｋ  ｃｏｎｔｒｏｌ  ｃｈａｎｎｅｌ（ＰＵＣＣＨ）リソースは個別に設定され、
活性化されたＵＬ−ＢＷＰと関連した前記報告周期とオフセットに基づいて、前記活性化されたＵＬ−ＢＷＰについての前記ＰＵＣＣＨリソースについて前記基地局に前記ＣＳＩを報告する段階とを含む、方法。
【請求項２】
前記構成情報は、複数のＵＬ−ＢＷＰの中の前記活性化された一つのＵＬ−ＢＷＰについて前記ＣＳＩを報告するための複数の設定値を含み、
前記複数の設定値は報告周期及び複数のオフセット値である、請求項１に記載の方法。
【請求項３】
前記ＣＳＩを報告するために活性化されたＵＬ−ＢＷＰ又はヌメロロジー（numerology）の少なくとも１つが変更されたことに基づいて、
前記活性化されたＵＬ−ＢＷＰ又は前記ヌメロロジー（numerology）の前記ＣＳＩの報告に関する周期的（periodic）及び／又は半永久的（semi-persistent）報告の前記複数の設定値の少なくとも１つは非活性化される、請求項２に記載の方法。
【請求項４】
前記活性化されたＵＬ−ＢＷＰ又は前記ヌメロロジーの前記ＣＳＩの報告に関する前記周期的及び／又は半永久的報告のための複数の再設定値を含む再構成情報を受信する段階をさらに含む、請求項３に記載の方法。
【請求項５】
前記ＣＳＩを報告するために前記活性化されたＵＬ−ＢＷＰ又はヌメロロジーの少なくとも１つが変更されたことに基づいて、
前記活性化されたＵＬ−ＢＷＰ又はヌメロロジーの前記ＣＳＩの報告に関する周期的及び／又は半永久的報告の前記複数の設定値の少なくとも１つは予め設定された値に設定される、請求項２に記載の方法。
【請求項６】
前記構成情報は、ＵＬ−ＢＷＰのそれぞれに対する複数の設定値を含み、
前記ＣＳＩを報告するために前記活性化されたＵＬ−ＢＷＰ又はヌメロロジーの少なくとも１つが変更されたことに基づいて、
前記活性化されたＵＬ−ＢＷＰ又は前記ヌメロロジーの前記ＣＳＩの報告に関する周期的及び／又は半永久的報告の前記複数の設定値の少なくとも一つは前記複数の設定値にしたがって設定され、
前記複数の設定値は、複数の報告周期及び複数のオフセット値である、請求項２に記載の方法。
【請求項７】
無線通信システムにおいてチャネル状態情報（Channel State Information：ＣＳＩ）を報告するように構成された端末（ＵＥ）であって、
無線信号を送受信する少なくとも一つの送受信機と、
前記少なくとも一つの送受信機を制御する少なくとも一つのプロセッサとを含み、
前記少なくとも一つのプロセッサは、
基地局から前記ＣＳＩを報告するために報告周期とオフセットに関する構成情報を受信し、
前記報告周期とオフセットは、それぞれの上りリンク帯域幅部分（ＵＬ−ＢＷＰ）に対して個別に設定され、
それぞれのＵＬ−ＢＷＰに対して、ｐｈｙｓｉｃａｌ  ｕｐｌｉｎｎｋ  ｃｏｎｔｒｏｌ  ｃｈａｎｎｅｌ（ＰＵＣＣＨ）リソースは個別に設定され、
前記報告周期とオフセットが活性化されたＵＬ−ＢＷＰに関連することに基づいて、前記活性化されたＵＬ−ＢＷＰについての前記ＰＵＣＣＨリソースについて前記基地局に前記ＣＳＩを報告する、端末。
【請求項８】
前記構成情報は、複数のＵＬ−ＢＷＰの中の活性化されたＵＬ−ＢＷＰについて前記ＣＳＩを報告するための複数の設定値を含み、
前記複数の設定値は報告周期と複数のオフセット値である、請求項７に記載の端末。
【請求項９】
前記ＣＳＩを報告するための前記活性化されたＵＬ−ＢＷＰ又はヌメロロジー（numerology）の少なくとも１つが変更されたことに基づいて、
前記活性化されたＵＬ−ＢＷＰ又は前記ヌメロロジーのＣＳＩの報告に関する周期的（periodic）及び／又は半永久的（semi-persistent）報告の前記複数の設定値の少なくとも１つは非活性化される、請求項８に記載の端末。
【請求項１０】
前記少なくとも一つのプロセッサは、
前記活性化されたＵＬ−ＢＷＰ又は前記ヌメロロジーの前記ＣＳＩ報告に関する前記周期的及び／又は前記半永久的報告のための複数の再設定値を含む再構成情報を受信する、請求項９に記載の端末。
【請求項１１】
前記ＣＳＩを報告するための前記活性化されたＵＬ−ＢＷＰ又はヌメロロジーの少なくとも１つが変更されたことに基づいて、
前記活性化されたＵＬ−ＢＷＰ又は前記ヌメロロジーの前記ＣＳＩの報告に関する周期的及び／又は半永久的報告の前記複数の設定値の少なくとも１つは予め設定された値に設定される、請求項８に記載の端末。
【請求項１２】
前記構成情報は、それぞれのＵＬ−ＢＷＰに対する複数の設定値を含み、
前記ＣＳＩを報告するための前記活性化されたＵＬ−ＢＷＰ又はヌメロロジーの少なくとも１つが変更されたことに基づいて、
前記活性化されたＵＬ−ＢＷＰ又は前記ヌメロロジーの前記ＣＳＩの報告に関する周期的及び／又は半永久的報告のための前記複数の設定値の少なくとも一つは前記複数の設定値にしたがって設定され、
前記複数の設定値は複数の報告周期と複数のオフセット値である、請求項８に記載の端末。
【請求項１３】
無線通信システムにおいてチャネル状態情報（Channel State Information：ＣＳＩ）を受信するように構成された基地局であって、
無線信号を送受信する少なくとも一つの送受信機と、
前記少なくとも一つの送受信機を制御する少なくとも一つのプロセッサを含み、
前記少なくとも一つのプロセッサは、
端末に前記ＣＳＩを報告するために報告周期及びオフセットに関する構成情報を送信し、
前記報告周期とオフセットは、それぞれの上りリンク帯域幅部分（ＵＬ−ＢＷＰ）に対して個別に設定され、
それぞれのＵＬ−ＢＷＰに対して、ｐｈｙｓｉｃａｌ  ｕｐｌｉｎｎｋ  ｃｏｎｔｒｏｌ  ｃｈａｎｎｅｌ（ＰＵＣＣＨ）リソースは個別に設定され、
前記報告周期とオフセットが活性化されたＵＬ−ＢＷＰに関連することに基づいて、前記活性化されたＵＬ−ＢＷＰについての前記ＰＵＣＣＨリソースについて前記端末から前記ＣＳＩを受信する、基地局。
【発明の詳細な説明】
【技術分野】
【０００１】
本発明は、無線通信システムに関し、より詳しくは、無線通信システムにおけるチャネル状態情報の送受信方法及びそのための装置に関する。
【背景技術】
【０００２】
移動通信システムは、ユーザの活動性を保障しながら音声サービスを提供するために開発された。しかしながら、移動通信システムは、音声だけでなくデータサービスまで領域を拡張し、現在では、爆発的なトラフィックの増加によって資源の不足現象が引き起こされ、ユーザがより高速のサービスを要求するので、より発展した移動通信システムが要求されている。
【０００３】
次世代の移動通信システムの要求条件は大きく、爆発的なデータトラフィックの収容、ユーザ当たり送信率の画期的な増加、大幅増加した連結デバイス個数の収容、非常に低い端対端遅延（End-to-End Latency）、高エネルギー効率を支援できなければならない。そのために、二重連結性（Dual Connectivity）、大規模多重入出力（Massive MIMO：Massive Multiple Input Multiple Output）、全二重（In-band Full Duplex）、非直交多重接続（NOMA：Non-Orthogonal Multiple Access）、超広帯域（Super wideband）支援、端末ネットワーキング（Device Networking）など、多様な技術が研究されている。
【発明の概要】
【発明が解決しようとする課題】
【０００４】
本発明は、無線通信システムにおいて、ＣＳＩ（Channel Status Information）−ＲＳ（Reference Signal）を送受信するための方法及び装置を提供することを目的とする。
【０００５】
さらに、本発明は、ＣＳＩの報告のための帯域幅部分（Bandwidth Part：ＢＷＰ）又はヌメロロジー（numerology）が変更される場合、これによる設定値を変更するための方法及び装置を提供することを目的とする。
【０００６】
さらに、本発明は、ＣＳＩの報告のための資源を帯域幅部分によってそれぞれ設定するための方法及び装置を提供することを目的とする。
【０００７】
本発明で達成しようとする技術的課題は以上で言及した技術的課題に制限されず、言及しない更に他の技術的課題は以下の記載から本発明が属する技術分野で通常の知識を有する者に明確に理解できるはずである。
【課題を解決するための手段】
【０００８】
前述した技術的課題を解決するために、本発明の実施形態による無線通信システムにおいて、端末がチャネル状態情報（Channel State Information：ＣＳＩ）を報告する方法は、基地局から前記ＣＳＩの報告に関する第１構成情報を受信する段階と、前記第１構成情報に基づいて基地局にＣＳＩを報告する段階とを含み、前記第１構成情報は、前記ＣＳＩを報告するための資源に関する資源設定情報を含み、前記資源は、前記ＣＳＩの報告のために活性化された少なくとも１つの帯域幅部分（ＢＷＰ）毎にそれぞれ設定される。
【０００９】
さらに、本発明において、前記ＣＳＩは、前記少なくとも１つの帯域幅部分のいずれか１つの帯域幅部分で前記資源を通じて報告される。
【００１０】
さらに、本発明において、前記第１構成情報は、前記少なくとも１つの帯域幅部分で前記ＣＳＩを報告するための設定値を含んでもよく、前記設定値は、周期又はオフセットのうち少なくとも１つを含む。
【００１１】
さらに、本発明において、前記ＣＳＩの報告のための前記少なくとも１つの帯域幅部分のうち１つの帯域幅部分又はヌメロロジーのうち少なくとも１つが変更された場合、前記変更された１つの帯域幅部分又はヌメロロジーの前記ＣＳＩの報告に関する周期的（periodic）及び／又は半永久的（semi-persistent）報告の前記設定値のうち少なくとも１つは非活性化される。
【００１２】
さらに、本発明は、前記変更された１つの帯域幅部分又はヌメロロジーの前記ＣＳＩの報告に関する周期的及び／又は半永久的報告のための設定値を含む第２構成情報を基地局から受信する段階をさらに含む。
【００１３】
さらに、本発明において、前記ＣＳＩの報告のための前記少なくとも１つの帯域幅部分のうち１つの帯域幅部分又はヌメロロジーのうち少なくとも１つが変更された場合、前記変更された１つの帯域幅部分又はヌメロロジーの前記ＣＳＩの報告に関する周期的及び／又は半永久的報告の前記設定値のうち少なくとも１つは予め設定された値に設定される。
【００１４】
さらに、本発明において、前記第１構成情報は、前記ＣＳＩの報告のための複数の帯域幅部分にそれぞれに対する複数の設定値を含んでもよく、前記ＣＳＩの報告のための前記少なくとも１つの帯域幅部分のうち１つの帯域幅部分又はヌメロロジーのうち少なくとも１つが変更された場合、前記変更された１つの帯域幅部分又はヌメロロジーの前記ＣＳＩの報告に関する周期的及び／又は半永久的報告のための設定値は前記複数の設定値によって設定される。
【００１５】
さらに、本発明は、無線信号を送受信するためのＲＦ（Radio Frequency）モジュールと、前記ＲＦモジュールを制御するプロセッサとを含み、前記プロセッサは、基地局から前記ＣＳＩの報告に関する第１構成情報を受信し、前記第１構成情報に基づいて基地局にＣＳＩを報告し、前記第１構成情報は、前記ＣＳＩを報告するための資源に関する資源設定情報を含み、前記資源は、前記ＣＳＩの報告のために活性化された少なくとも１つの帯域幅部分毎にそれぞれ設定される端末を提供する。
【００１６】
さらに、本発明は、無線信号を送受信するためのＲＦ（Radio Frequency）モジュールと、前記ＲＦモジュールを制御するプロセッサとを含み、前記プロセッサは、端末に前記ＣＳＩの報告に関する第１構成情報を送信し、前記第１構成情報に基づいて端末からＣＳＩを受信し、前記第１構成情報は、前記ＣＳＩを報告するための資源に関する資源設定情報を含み、前記資源は、前記ＣＳＩの報告のために活性化された少なくとも１つの帯域幅部分毎にそれぞれ設定される基地局を提供する。
【発明の効果】
【００１７】
本発明の一実施形態によれば、ＣＳＩ報告のためのダウンリンク帯域幅部分は固定であるが、アップリンク帯域幅部分又はヌメロロジーが変更された場合、これによる設定値を変更することにより、端末の動作を効率的に制御することができる。
【００１８】
また、本発明の一実施形態によれば、ＣＳＩの報告のための資源を各帯域幅部分別に設定することにより、ＣＳＩの報告を効率的に行うことができるという効果がある。
【００１９】
本発明から得られるという効果は以前述した効果に限定されるものではなく、言及しないもう１つの効果は下の記載から本発明の属する技術分野における通常の知識を有する者に明確に理解できる。
【図面の簡単な説明】
【００２０】
本発明に関する理解を助けるために詳細な説明の一部として含まれる添付図面は、本発明に対する実施形態を提供し、詳細な説明と共に本発明の技術的特徴を説明する。
【００２１】
【図１】本明細書で提案する方法が適用できるＮＲの全体的なシステム構造の一例を示した図である。
【図２】本明細書で提案する方法が適用できる無線通信システムにおけるアップリンクフレームとダウンリンクフレームとの間の関係を示す。
【図３】本明細書で提案する方法が適用できる無線通信システムで支援する資源グリッド（resource grid）の一例を示す。
【図４】本明細書で提案する方法が適用できる無線通信システムにおいて自己完結型（Self-contained）サブフレーム構造を例示する。
【図５】本明細書で提案する方法が適用できる無線通信システムにおいてトランシーバユニットモデルを例示する。
【図６】本明細書で提案する方法が適用できる無線通信システムにおいてＴＸＲＵ及び物理的アンテナ観点からハイブリッドビームフォーミング構造を図式化した図である。
【図７】本明細書で提案する方法が適用できるビームスイーピング（beam sweeping）動作の一例を示す図である。
【図８】本明細書で提案する方法が適用できるアンテナ整列（Antenna Array）の一例を示す図である。
【図９】本明細書で提案する方法が適用できるＣＳＩ関連手順の一例を示すフローチャートである。
【図１０】ＰＵＳＣＨベースＣＳＩ報告（CSI reporting）の情報ペイロード（payload）の一例を示す。
【図１１】ショートＰＵＣＣＨベースＣＳＩ報告の情報ペイロードに対する一例を示す。
【図１２】ロングＰＵＣＣＨベースＣＳＩ報告の情報ペイロードに対する一例を示す。
【図１３】本明細書で提案する方法が適用できる端末のＣＳＩ報告手順の一例を示すフローチャートである。
【図１４】本明細書で提案する方法が適用できる基地局が端末からＣＳＩの報告を受ける手順の一例を示すフローチャートである。
【図１５】本明細書で提案する方法が適用できる無線通信装置のブロック構成図を例示する。
【図１６】本発明の一実施形態による通信装置のブロック構成図を例示する。
【図１７】本発明で提案する方法が適用できる無線通信装置のＲＦモジュールの一例を示す図である。
【図１８】本発明で提案する方法が適用できる無線通信装置のＲＦモジュールの他の一例を示す図である。
【発明を実施するための形態】
【００２２】
以下、本発明に従う好ましい実施形態を添付した図面を参照して詳細に説明する。添付した図面と共に以下に開示される詳細な説明は、本発明の例示的な実施形態を説明しようとするものであり、本発明が実施できる唯一の実施形態を示そうとするものではない。以下の詳細な説明は、本発明の完全な理解を提供するために、具体的な細部事項を含む。しかしながら、当業者は本発明がこのような具体的な細部事項無しでも実施できることが分かる。
【００２３】
幾つかの場合、本発明の概念が曖昧になることを避けるために公知の構造及び装置は省略されるか、または各構造及び装置の核心機能を中心としたブロック図形式に図示できる。
【００２４】
本明細書で、基地局は端末と直接的に通信を実行するネットワークの終端ノード（terminal node）としての意味を有する。本文書で、基地局により実行されるものとして説明された特定動作は、場合によっては、基地局の上位ノード（upper node）により実行されることもできる。即ち、基地局を含む多数のネットワークノード（network nodes）からなるネットワークで、端末との通信のために実行される多様な動作は基地局または基地局の以外の他のネットワークノードにより実行できることは自明である。「基地局（ＢＳ：Base Station）」は、固定局（fixed station）、Ｎｏｄｅ Ｂ、ｅＮＢ（evolved-NodeB）、ＢＴＳ（base transceiver system）、アクセスポイント（ＡＰ：Access Point）、ｇＮＢ（general NB）などの用語により取替できる。また、「端末（Terminal）」は固定されるか、または移動性を有することができ、ＵＥ（User Equipment）、ＭＳ（Mobile Station）、ＵＴ（user terminal）、ＭＳＳ（Mobile Subscriber Station）、ＳＳ（Subscriber Station）、ＡＭＳ（Advanced Mobile Station）、ＷＴ（Wireless terminal）、ＭＴＣ（Machine-Type Communication）装置、Ｍ２Ｍ（Machine-to-Machine）装置、Ｄ２Ｄ（Device-to-Device）装置などの用語に取替できる。
【００２５】
以下、ダウンリンク（ＤＬ：downlink）は基地局から端末への通信を意味し、アップリンク（ＵＬ：uplink）は端末から基地局への通信を意味する。ダウンリンクで、送信機は基地局の一部であり、受信機は端末の一部でありうる。アップリンクで、送信機は端末の一部であり、受信機は基地局の一部でありうる。
【００２６】
以下の説明で使われる特定用語は本発明の理解を助けるために提供されたものであり、このような特定用語の使用は本発明の技術的思想を逸脱しない範囲で異なる形態に変更できる。
【００２７】
以下の技術は、ＣＤＭＡ（code division multiple access）、ＦＤＭＡ（frequency division multiple access）、ＴＤＭＡ（time division multiple access）、ＯＦＤＭＡ（orthogonal frequency division multiple access）、ＳＣ−ＦＤＭＡ（single carrier frequency division multiple access）、ＮＯＭＡ（non-orthogonal-multiple access）などの多様な無線接続システムに利用できる。ＣＤＭＡは、ＵＴＲＡ（universal terrestrial radio access）やＣＤＭＡ２０００のような無線技術（radio technology）で具現できる。ＴＤＭＡは、ＧＳＭ（global system for mobile communications）／ＧＰＲＳ（general packet radio service）／ＥＤＧＥ（enhanced data rates for GSM evolution）のような無線技術で具現できる。ＯＦＤＭＡは、ＩＥＥＥ ８０２．１１（WiFi）、ＩＥＥＥ ８０２．１６（WiMAX）、ＩＥＥＥ ８０２-２０、Ｅ−ＵＴＲＡ（evolved UTRA）などの無線技術で具現できる。ＵＴＲＡは、ＵＭＴＳ（universal mobile telecommunications system）の一部である。３ＧＰＰ（3rd generation partnership project） ＬＴＥ（long term evolution）は、Ｅ−ＵＴＲＡを使用するＥ−ＵＭＴＳ（evolved UMTS）の一部であって、ダウンリンクでＯＦＤＭＡを採用し、アップリンクでＳＣ−ＦＤＭＡを採用する。ＬＴＥ−Ａ（advanced）は３ＧＰＰ ＬＴＥの進化である。
【００２８】
または、５Ｇ ＮＲ（new radio）は、使用シナリオ（usage scenario）によってｅＭＢＢ（enhanced Mobile Broadband）、ｍＭＴＣ（massive Machine Type Communications）、ＵＲＬＬＣ（Ultra-Reliable and Low Latency Communications）、Ｖ２Ｘ（vehicle-to-everything）を定義する。
【００２９】
また、５Ｇ ＮＲ規格（standard）は、ＮＲシステムとＬＴＥシステム間の共存（co-existence）によって独立型（standalone：ＳＡ）と 非独立型（non-standalone：ＮＳＡ）に区分する。
【００３０】
また、５Ｇ ＮＲは、多様なサブキャリア間隔（subcarrier spacing）を支援し、ダウンリンクでＣＰ−ＯＦＤＭを、アップリンクでＣＰ−ＯＦＤＭ及びＤＦＴ−ｓ−ＯＦＤＭ(ＳＣ−ＯＦＤＭ)を支援する。
【００３１】
本発明の実施形態は無線接続システムであるＩＥＥＥ ８０２、３ＧＰＰ、及び３ＧＰＰ２のうち、少なくとも１つに開示された標準文書により裏付けられる。即ち、本発明の実施形態のうち、本発明の技術的思想を明確に示すために説明しない段階または部分は前記文書により裏付けられる。また、本文書で開示している全ての用語は前記標準文書により説明できる。
【００３２】
説明を明確にするために、３ＧＰＰ ＬＴＥ／ＬＴＥ、ＮＲ(New RAT)を中心として技術するが、本発明の技術的特徴がこれに制限されるものではない。
【００３３】
用語の定義
【００３４】
ｅＬＴＥ ｅＮＢ：ｅＬＴＥ ｅＮＢは、ＥＰＣ（Evolved Packet Core）及びＮＧＣ（Next Generation Core）に対する連結を支援するｅＮＢの進化（evolution）である。
【００３５】
ｇＮＢ：ＮＧＣとの連結だけでなく、ＮＲを支援するノード。
【００３６】
新たなＲＡＮ：ＮＲまたはＥ−ＵＴＲＡを支援するか、またはＮＧＣと相互作用する無線アクセスネットワーク。
【００３７】
ネットワークスライス（network slice）：ネットワークスライスは、終端間の範囲と共に特定要求事項を要求する特定市場シナリオに対して最適化されたソリューションを提供するようにoperatorにより定義されたネットワーク。
【００３８】
ネットワーク機能（network function）：ネットワーク機能は、よく定義された外部インターフェースとよく定義された機能的動作を有するネットワークインフラ内での論理的ノード。
【００３９】
ＮＧ−Ｃ：新たなＲＡＮとＮＧＣとの間のＮＧ２レファレンスポイント（reference point）に使われる制御平面インターフェース。
【００４０】
ＮＧ−Ｕ：新たなＲＡＮとＮＧＣとの間のＮＧ３レファレンスポイント（reference point）に使われるユーザ平面インターフェース。
【００４１】
非独立型（Non-standalone）ＮＲ：ｇＮＢがＬＴＥ ｅＮＢをＥＰＣに制御プレーン連結のためのアンカーとして要求するか、またはｅＬＴＥ ｅＮＢをＮＧＣに制御プレーン連結のためのアンカーとして要求する配置構成。
【００４２】
非独立型Ｅ−ＵＴＲＡ：ｅＬＴＥ ｅＮＢがＮＧＣに制御プレーン連結のためのアンカーとしてｇＮＢを要求する配置構成。
【００４３】
ユーザ平面ゲートウェイ：ＮＧ−Ｕインターフェースの終端点。
【００４４】
システム一般
【００４５】
図１は、本明細書で提案する方法が適用できるＮＲの全体的なシステム構造の一例を示した図である。
【００４６】
図１に示すように、ＮＧ−ＲＡＮはＮＧ−ＲＡユーザ平面（新たなＡＳ ｓｕｂｌａｙｅｒ／ＰＤＣＰ／ＲＬＣ／ＭＡＣ／ＰＨＹ）及びＵＥ（User Equipment）に対する制御平面（RRC）プロトコル終端を提供するｇＮＢで構成される。
【００４７】
前記ｇＮＢは、Ｘｎインターフェースを通じて相互連結される。
【００４８】
また、前記ｇＮＢは、ＮＧインターフェースを通じてＮＧＣに連結される。
【００４９】
より具体的には、前記ｇＮＢはＮ２インターフェースを通じてＡＭＦ（Access and Mobility Management Function）に、Ｎ３インターフェースを通じてＵＰＦ（User Plane Function）に連結される。
【００５０】
ＮＲ(New Rat) ヌメロロジー(Numerology)及びフレーム(frame)構造
【００５１】
ＮＲシステムでは、多数のヌメロロジー（numerology）が支援できる。ここで、ヌメロロジーはサブキャリア間隔（subcarrier spacing）とＣＰ（Cyclic Prefix）オーバーヘッドにより定義できる。このとき、多数のサブキャリア間隔は基本サブキャリア間隔を整数Ｎ（または、μ）にスケーリング（scaling）することにより誘導できる。また、非常に高い搬送波周波数で非常に低いサブキャリア間隔を利用しないと仮定されても、用いられるヌメロロジーは周波数帯域と独立的に選択できる。
【００５２】
また、ＮＲシステムでは多数のヌメロロジーに従う多様なフレーム構造が支援できる。
【００５３】
以下、ＮＲシステムで考慮できるＯＦＤＭ（Orthogonal Frequency Division Multiplexing）ヌメロロジー及びフレーム構造を説明する。
【００５４】
ＮＲシステムで支援される多数のＯＦＤＭヌメロロジーは、表１のように定義できる。
【００５５】
【表１】
0006911147.tif 000002
【００５６】
ＮＲシステムにおけるフレーム構造（frame structure）と関連して、時間領域の多様なフィールドのサイズは
0006911147.tif 000003
の時間単位の倍数として表現される。ここで、
0006911147.tif 000004
であり、
0006911147.tif 000005
である。ダウンリンク（downlink）及びアップリンク（uplink）送信は
0006911147.tif 000006
の区間を有する無線フレーム（radio frame）で構成される。ここで、無線フレームは各々
0006911147.tif 000007
の区間を有する１０個のサブフレーム（subframe）で構成される。この場合、アップリンクに対する１セットのフレーム及びダウンリンクに対する１セットのフレームが存在することができる。
【００５７】
図２は、本明細書で提案する方法が適用できる無線通信システムにおけるアップリンクフレームとダウンリンクフレームとの間の関係を示す。
【００５８】
図２に示すように、端末（User Equipment：ＵＥ）からのアップリンクフレーム番号ｉの送信は、該当端末での該当ダウンリンクフレームの開始より
0006911147.tif 000008
以前に始めなければならない。
【００５９】
ヌメロロジーμに対して、スロット（slot）はサブフレーム内で
0006911147.tif 000009
の増加する順に番号が付けられて、無線フレーム内で
0006911147.tif 000010
の増加する順に番号が付けられる。１つのスロットは
0006911147.tif 000011
の連続するＯＦＤＭシンボルで構成され、
0006911147.tif 000012
は用いられるヌメロロジー及びスロット設定（slot configuration）によって決定される。サブフレームでスロット
0006911147.tif 000013
の開始は同一サブフレームでＯＦＤＭシンボル
0006911147.tif 000014
の開始と時間的に整列される。
【００６０】
全ての端末が同時に送信及び受信できるものではなく、これはダウンリンクスロット（downlink slot）またはアップリンクスロット（uplink slot）の全てのＯＦＤＭシンボルが利用できないことを意味する。
【００６１】
表２は、ヌメロロジーμでの一般（normal）ＣＰに対するスロット当たりＯＦＤＭシンボルの数を示し、表３は、ヌメロロジーμでの拡張（extended）ＣＰに対するスロット当たりＯＦＤＭシンボルの数を示す。
【００６２】
【表２】
0006911147.tif 000015
【００６３】
【表３】
0006911147.tif 000016
【００６４】
ＮＲ物理資源（NR Physical Resource）
【００６５】
ＮＲシステムにおける物理資源（physical resource）と関連して、アンテナポート（antenna port）、資源グリッド（resource grid）、資源要素（resource element）、資源ブロック（resource block）、キャリアパート（carrier part）などが考慮できる。
【００６６】
以下、ＮＲシステムで考慮できる前記物理資源について具体的に説明する。
【００６７】
まず、アンテナポートと関連して、アンテナポートはアンテナポート上のシンボルが運搬されるチャネルが同一なアンテナポート上の他のシンボルが運搬されるチャネルから推論できるように定義される。１つのアンテナポート上のシンボルが運搬されるチャネルの広範囲特性（large-scale property）が他のアンテナポート上のシンボルが運搬されるチャネルから類推できる場合、２つのアンテナポートはＱＣ／ＱＣＬ（quasico-locatedまたはquasi co-location）関係にあるということができる。ここで、前記広範囲特性は遅延拡散（Delay spread）、ドップラー拡散（Doppler spread）、周波数シフト（Frequency shift）、平均受信パワー（Average received power）、受信タイミング（Received Timing）のうち、１つ以上を含む。
【００６８】
図３は、本明細書で提案する方法が適用できる無線通信システムで支援する資源グリッド（resource grid）の一例を示す。
【００６９】
図３に示すように、資源グリッドが周波数領域上に
0006911147.tif 000017
サブキャリアで構成され、１つのサブフレームが１４・２μＯＦＤＭシンボルで構成されることを例示的に記述するが、これに限定されるものではない。
【００７０】
ＮＲシステムにおいて、送信される信号（transmitted signal）は
0006911147.tif 000018
サブキャリアで構成される１つまたはその以上の資源グリッド及び
0006911147.tif 000019
のＯＦＤＭシンボルにより説明される。ここで、
0006911147.tif 000020
である。前記
0006911147.tif 000021
は最大送信帯域幅を示し、これは、ヌメロロジーだけでなく、アップリンクとダウンリンクとの間にも変わることができる。
【００７１】
この場合、図３のように、ヌメロロジーμ及びアンテナポートｐ別に１つの資源グリッドが設定できる。
【００７２】
ヌメロロジーμ及びアンテナポートｐに対する資源グリッドの各要素は資源要素（resource element）と称され、インデックス対
0006911147.tif 000022
により固有的に識別される。ここで、
0006911147.tif 000023
は周波数領域上のインデックスであり、
0006911147.tif 000024
はサブフレーム内でシンボルの位置を称する。スロットで資源要素を称する時には、インデックス対
0006911147.tif 000025
が用いられる。ここで、
0006911147.tif 000026
である。
【００７３】
ヌメロロジーμ及びアンテナポートｐに対する資源要素
0006911147.tif 000027
は複素値（complex value）
0006911147.tif 000028
に該当する。混同（confusion）する危険がない場合、または特定アンテナポートまたはヌメロロジーが特定されない場合には、インデックスｐ及びμはドロップ（drop）されることができ、その結果、複素値は
0006911147.tif 000029
または
0006911147.tif 000030
になることができる。
【００７４】
また、物理資源ブロック（physical resource block）は周波数領域上の
0006911147.tif 000031
連続的なサブキャリアとして定義される。周波数領域上で、物理資源ブロックは０から
0006911147.tif 000032
まで番号が付けられる。このとき、周波数領域上の物理資源ブロック番号（physical resource block number）
0006911147.tif 000033
と資源要素
0006911147.tif 000034
との間の関係は、数式１のように与えられる。
【００７５】
【数１】
0006911147.tif 000035
【００７６】
また、キャリアパート（carrier part）と関連して、端末は資源グリッドのサブセット（subset）のみを用いて受信または送信するように設定できる。このとき、端末が受信または送信するように設定された資源ブロックの集合（set）は周波数領域上で０から
0006911147.tif 000036
まで番号が付けられる。
【００７７】
自己完結型 （Self-contained）サブフレーム構造
【００７８】
図４は、本発明が適用できる無線通信システムにおいて自己完結型サブフレーム構造を例示する図である。
【００７９】
ＴＤＤシステムにおいてデータ送信レイテンシー（latency）を最小化するために５世代（５Ｇ：5 generation） ｎｅｗ ＲＡＴでは図４に示すような自己完結型サブフレーム構造を考慮している。
【００８０】
図４において、斜線領域（シンボルインデックス０）はダウンリンク（ＤＬ）制御領域を示し、黒色部分（シンボルインデックス１３）はアップリンク（ＵＬ）制御領域を示す。陰影表示のない領域はＤＬデータ送信のために用いられることもでき、又はＵＬデータ送信のために用いられることもできる。このような構造の特徴は、１つのサブフレーム内でＤＬ送信とＵＬ送信が順次進められて、サブフレーム内でＤＬデータが送信され、ＵＬ ＡＣＫ／ＮＡＣＫも受信される。その結果、データ送信エラーの発生時にデータの再送信までかかる時間を短縮し、これにより、最終データ伝達のレイテンシーを最小化することができる。
【００８１】
このような自己完結型サブフレーム構造において、基地局とＵＥが送信モードから受信モードに切り替えられる過程又は受信モードから送信モードに切り替えられる過程のための時間ギャップ（time gap）が必要である。このために、自己完結型サブフレーム構造において、ＤＬからＵＬに切り替えられる時点の一部ＯＦＤＭシンボルがガード区間（guard period：ＧＰ）に設定される。
【００８２】
アナログビームフォーミング（Analog beamforming）
【００８３】
ミリメートル波（Millimeter Wave：ｍｍＷ）では、波長が短くなって同一面積に複数のアンテナ要素（antenna element）を設置することができる。すなわち、３０ＧＨｚ帯域で波長は１ｃｍであり、４×４（4 by 4）ｃｍのパネル（panel）に０．５ラムダ（lambda）（すなわち、波長）間隔で２次元配列形態で総６４（８×８）のアンテナ要素の設置が可能である。従って、ｍｍＷでは、複数のアンテナ要素を用いてビームフォーミング（beamforming：ＢＦ ）利得を向上させてカバレッジを増加させるか、スループット（throughput）を向上させる。
【００８４】
この場合、アンテナ要素別に送信パワー及び位相調節ができるようにトランシーバユニット（Transceiver Unit：ＴＸＲＵ）を有すると、周波数資源別に独立的なビームフォーミングが可能である。しかしながら、約１００個のアンテナ要素の全てにＴＸＲＵを設置するにはコストの側面で実効性が低下するという問題がある。従って、１つのＴＸＲＵに複数のアンテナ要素をマッピングし、アナログ位相シフタ（analog phase shifter）でビームの方向を調節する方式が考慮されている。このようなアナログＢＦ方式は、全帯域において１つのビーム方向のみを生成することができるため、周波数選択的なＢＦが実行できないという欠点がある。
【００８５】
デジタル（Digital）ＢＦとアナログＢＦの中間形態でＱ個のアンテナ要素より少ない個数であるＢ個のＴＸＲＵを有するハイブリッドビームフォーミング（hybrid BF）を考慮することができる。この場合、Ｂ個のＴＸＲＵとＱ個のアンテナ要素の連結方式によって差はあるが、同時に送信できるビームの方向はＢ個以下に制限される。
【００８６】
以下、図面を参照してＴＸＲＵとアンテナ要素の連結方式の代表的な一例について説明する。
【００８７】
図５は、本発明が適用できる無線通信システムにおいてトランシーバユニットモデルを例示する。
【００８８】
ＴＸＲＵ仮想化（virtualization）モデルは、ＴＸＲＵの出力信号とアンテナ要素の出力信号の関係を示す。アンテナ要素とＴＸＲＵとの相関関係によって、図５（ａ）に示すようにＴＸＲＵ仮想化（virtualization）モデルオプション−１：サブ−配列分割モデル（sub-array partition model）と、図５（ｂ）に示すようにＴＸＲＵ仮想化モデルオプション−２：全域連結（full-connection）モデルに区分されることができる。
【００８９】
図５（ａ）に示すように、サブ−配列分割モデル（sub-array partition model）の場合、アンテナ要素は、多重のアンテナ要素グループに分割され、各ＴＸＲＵは、グループのうち１つに連結される。この場合は、アンテナ要素は１つのＴＸＲＵにのみ連結される。
【００９０】
図５（ｂ）に示すように、全域連結（full-connection）モデルの場合、多重のＴＸＲＵの信号が結合されて単一のアンテナ要素（又はアンテナ要素の配列）に伝達される。すなわち、ＴＸＲＵが全てのアンテナ要素に連結された方式を示す。この場合、アンテナ要素は全てのＴＸＲＵに連結される。
【００９１】
図５において、ｑは、１つの列（column）内のＭ個の同一の偏波（co-polarized）を有するアンテナ要素の送信信号ベクトルである。ｗは、広帯域ＴＸＲＵ仮想化加重値ベクトル（wideband TXRU virtualization weight vector）であり、Ｗは、アナログ位相シフタ（analog phase shifter）により乗算される位相ベクトルを示す。すなわち、Ｗによりアナログビームフォーミングの方向が決定される。ｘは、Ｍ＿ＴＸＲＵ個のＴＸＲＵの信号ベクトルである。
【００９２】
ここで、アンテナポートとＴＸＲＵとのマッピングは１対１（1-to-1）又は一対多（1-to-many）でありうる。
【００９３】
図５において、ＴＸＲＵとアンテナ要素間のマッピング（TXRU-to-element mapping）は１つの例示に過ぎず、本発明は、これに限定されるものではなく、ハードウェア観点からこれ以外に様々な形態で実現できるＴＸＲＵとアンテナ要素間のマッピングにも本発明が同様に適用できる。
【００９４】
また、Ｎｅｗ ＲＡＴシステムにおいては、複数のアンテナが用いられる場合、デジタルビームフォーミングとアナログビームフォーミングを結合したハイブリッドビームフォーミング技法が台頭している。ここで、アナログビームフォーミング（又はＲＦビームフォーミング）はＲＦ段でプリコーディング（又はコンバイニング）を行う動作を意味する。ハイブリッドビームフォーミングでベースバンド（Baseband）段とＲＦ段はそれぞれプリコーディング（又はコンバイニング）を行い、これにより、ＲＦチェーン数とＤ（digital）／Ａ（analog）（又はＡ／Ｄ）コンバータ数を減らしながらもデジタルビームフォーミングに近接する性能を出すことができるという利点がある。便宜上、ハイブリッドビームフォーミング構造は、Ｎ個のトランシーバユニット（ＴＸＲＵ）とＭ個の物理的アンテナで表現される。そうすると、送信段で送信するＬ個のデータ階層に対するデジタルビームフォーミングはＮ ｂｙ Ｌの行列で表現され、その後、変換されたＮ個のデジタル信号はＴＸＲＵを経てアナログ信号に変換された後、Ｍ ｂｙ Ｎの行列で表現されるアナログビームフォーミングが適用される。
【００９５】
図６は、本発明が適用できる無線通信システムにおいてＴＸＲＵ及び物理的アンテナ観点からハイブリッドビームフォーミング構造を図式化した図である。
【００９６】
図６において、デジタルビームの数はＬ個であり、アナログビームの数はＮ個である場合を例示する。
【００９７】
Ｎｅｗ ＲＡＴシステムにおいては基地局がアナログビームフォーミングをシンボル単位で変更できるように設計し、特定地域に位置する端末にさらに効率的なビームフォーミングを支援する方向が考慮されている。さらに、図６において、特定Ｎ個のＴＸＲＵとＭ個のＲＦアンテナを１つのアンテナパネル（panel）と定義するとき、Ｎｅｗ ＲＡＴシステムにおいては互いに独立なハイブリッドビームフォーミングが適用できる複数のアンテナパネルを導入する方法まで考慮されている。
【００９８】
チャネル状態情報（Channel State Information：ＣＳＩ）フィードバック
【００９９】
３ＧＰＰ ＬＴＥ／ＬＴＥ−Ａシステムにおいては、ユーザ機器（ＵＥ）がチャネル状態情報（ＣＳＩ）を基地局（ＢＳ又はｅＮＢ）に報告するように定義されている。
【０１００】
ＣＳＩは、ＵＥとアンテナポート間に形成される無線チャネル（又はリンクともいう）の品質を示すことのできる情報を通称する。例えば、ランクインジケータ（Rank Indicator：ＲＩ）、プリコーディング行列インジケータ（Precoding Matrix Indicator：ＰＭＩ）、チャネル品質インジケータ（Channel Quality Indicator：ＣＱＩ）などがこれに該当する。
【０１０１】
ここで、ＲＩは、チャネルのランク情報を示し、これは、ＵＥが同一時間−周波数資源を通じて受信するストリームの数を意味する。この値は、チャネルの長い周期（long term）フェージング（fading）により従属されて決定されるので、ＰＭＩ、ＣＱＩより一般的により長い周期でＵＥからＢＳにフィードバックされる。ＰＭＩは、チャネル空間特性を反映した値であり、信号対干渉雑音比（Signal-to-Interference-plus-Noise Ratio：ＳＩＮＲ）などのメトリック（metric）を基準にＵＥが好むプリコーディングインデックスを示す。ＣＱＩは、チャネルの強度を示す値であり、一般的にＢＳがＰＭＩを用いたときに得られる受信ＳＩＮＲを意味する。
【０１０２】
３ＧＰＰ ＬＴＥ／ＬＴＥ−Ａシステムにおいて、基地局は、複数のＣＳＩプロセス（process）をＵＥに設定し、各プロセスに対するＣＳＩの報告を受けることができる。ここで、ＣＳＩプロセスは、基地局からの信号品質測定のためのＣＳＩ−ＲＳと干渉測定のためのＣＳＩ−干渉測定（CSI-Interference Measurement：ＣＳＩ−ＩＭ）資源とから構成される。
【０１０３】
参照信号（Reference Signal：ＲＳ）仮想化（virtualization）
【０１０４】
ｍｍＷにおいて、アナログビームフォーミングにより一時点で１つのアナログビーム方向にのみＰＤＳＣＨ送信されることができる。この場合、該当方向にある一部少数のＵＥにのみ基地局からデータが送信されることができる。従って、必要に応じてアンテナポート別にアナログビーム方向を異なるように設定することにより、多様なアナログビーム方向にある複数のＵＥに同時にデータ送信が行われる。
【０１０５】
図７は、本明細書で提案する方法が適用できるビームスイーピング（beam sweeping）動作の一例を示す図である。
【０１０６】
図６で説明したように、基地局が複数のアナログビームを用いる場合、端末別に信号受信に有利なアナログビームが異なるので、少なくとも同期信号（Synchronization signal）、システム情報（System information）、及びページング（Paging）などに対しては特定サブフレームで基地局が適用しようとする複数のアナログビームをシンボルによって変えて全ての端末が受信機会を有するようにするビームスイーピング動作が考慮される。
【０１０７】
図７は、ダウンリンク送信過程での同期信号及びシステム情報に対するビームスイーピング動作の一例を示す。図７において、Ｎｅｗ  ＲＡＴにおいてシステム情報がブロードキャスト方式で送信される物理的資源（又は物理チャネル）をｘＰＢＣＨ（physical broadcast channel）と称する。
【０１０８】
ここで、１つのシンボル内で相異なるアンテナパネルに属するアナログビームは同時に送信されることができ、アナログビームによるチャネルを測定するために、図７に示すように、（特定アンテナパネルに対応する）単一アナログビームが適用されて送信される参照信号であるビーム参照信号（Beam Reference Signal：ＢＲＳ）を導入する方案が論議されている。
【０１０９】
前記ＢＲＳは、複数のアンテナポートに対して定義されることができ、ＢＲＳの各アンテナポートは単一アナログビームに対応されることができる。
【０１１０】
ここで、ＢＲＳとは異なり、同期信号又はｘＰＢＣＨは、任意の端末により送信される信号がうまく受信できるようにアナログビームグループ内の全てのアナログビームが適用されて送信されることができる。
【０１１１】
ＲＲＭ測定
【０１１２】
ＬＴＥシステムにおいては、電力制御（Power control）、スケジューリング（Scheduling）、セル探索（Cell search）、セル再選択（Cell reselection）、ハンドオーバー（Handover）、無線リンク又は接続モニター（Radio link or Connection monitoring）、接続設定／再設定（Connection establish/re-establish）などの含むＲＲＭ動作を支援する。
【０１１３】
ここで、サービングセル（Serving Cell）は、端末にＲＲＭ動作を行うための測定値であるＲＲＭ測定（RRM measurement）情報を要求することができる。
【０１１４】
例えば、端末は、各セルに対するセル探索情報、基準信号受信電力（reference signal received power：ＲＳＲＰ）、基準信号受信品質（reference signal received quality：ＲＳＲＱ）などの情報を測定して基地局に報告することができる。
【０１１５】
具体的には、ＬＴＥシステムにおいて端末は、サービングセルからＲＲＭ測定のための上位階層信号として「ｍｅａｓＣｏｎｆｉｇ」を受信する。端末は、「ｍｅａｓＣｏｎｆｉｇ」によってＲＳＲＰ又はＲＳＲＱを測定する。
【０１１６】
ＲＳＲＰ、ＲＳＲＱ及びＲＳＳＩの定義は以下の通りである。
【０１１７】
−ＲＳＲＰ：基準信号受信電力（ＲＳＲＰ）は、考慮された測定周波数帯域幅内でセル特定基準信号を伝達する資源要素の電力寄与度（［Ｗ］）に対する線形平均と定義されることができる。ＲＳＲＰ決定のためにセル特定レファレンス信号Ｒ０が用いられることができる。Ｒ１が利用可能であることを端末が高い信頼性で検出できる場合、Ｒ０に追加してＲ１を用いてＲＳＲＰを決定することができる。
【０１１８】
ＲＳＲＰの基準点（reference point）は、端末のアンテナコネクタになることができる。
【０１１９】
受信機ダイバーシティ（diversity）が端末により用いられる場合、報告された値は、任意の個別ダイバーシティブランチの対応するＲＳＲＰより低くてはならない。
【０１２０】
−ＲＳＲＱ：基準信号受信品質（ＲＳＲＱ）は、比率Ｎ×ＲＳＲＰ／（Ｅ−ＵＴＲＡ搬送波ＲＳＳＩ）と定義され、Ｎは、Ｅ−ＵＴＲＡ搬送波ＲＳＳＩ測定帯域幅のＲＢ数である。分子と分母の測定は同一の資源ブロック集合を通じて行われなければならない。
【０１２１】
Ｅ−ＵＴＲＡ搬送波受信信号強度インジケータ（ＲＳＳＩ）は、アンテナポート０に対する参照シンボルを含むＯＦＤＭシンボルでのみ測定された総受信電力（［Ｗ］）の線形平均と測定帯域幅でＮ個の資源隣接チャネル干渉、熱雑音などを含む全てのソースからＵＥによりブロックにより受信される。
【０１２２】
上位階層シグナリングがＲＳＲＱ測定を行うための特定サブフレームを示す場合、ＲＳＳＩは、表示されたサブフレーム内の全てのＯＦＤＭシンボルに対して測定される。
【０１２３】
ＲＳＲＱに対する基準点は、端末のアンテナコネクタにならなければならない。
【０１２４】
受信機ダイバーシティが端末により用いられる場合、報告された値は任意の個別ダイバーシティブランチの対応するＲＳＲＱより低くてはならない。
【０１２５】
ＲＳＳＩ：ＲＳＳＩは、受信機パルス整形フィルタにより定義された帯域幅内で、受信機で発生する熱雑音及び雑音を含んで受信された広帯域電力を意味する。
【０１２６】
ＲＳＳＩの測定のための基準点は、端末のアンテナコネクタにならなければならない。受信機ダイバーシティが端末により用いられる場合、報告された値は任意の個別受信アンテナブランチの対応するＵＴＲＡ搬送波ＲＳＳＩより低くてはならない。
【０１２７】
このような定義によって、ＬＴＥシステムで動作する端末は、周波数内測定（Intra-frequency measurement）の場合は、ＳＩＢ３（system information block type 3）で送信される許容測定帯域幅（Allowed measurement bandwidth）関連ＩＥ（information element）を通じて、周波数間測定（Inter-frequency measurement）の場合は、ＳＩＢ５で送信される 許容測定帯域幅（Allowed measurement bandwidth）を通じて、６、１５、２５、５０、７５、１００ＲＢ（resource block）のうち１つに対応する帯域幅でＲＳＲＰを測定するように許容されることができる。
【０１２８】
または、上記ＩＥがない場合、デフォルト（Default）で全体ダウンリンクシステムの周波数帯域で測定が行われる。ここで、端末が許容測定帯域幅（Allowed measurement bandwidth）を受信すると、端末は、該当値を最大測定帯域幅（maximum measurement bandwidth）と考えて該当値以内で自由にＲＳＲＰの値を測定することができる。
【０１２９】
ただ、サービングセルがＷＢ−ＲＳＲＱと定義されるＩＥを送信し、許容測定帯域幅（Allowed measurement bandwidth）を５０ＲＢ以上に設定すると、端末は、全体許容測定帯域幅（Allowed measurement bandwidth）に対するＲＳＲＰ値を計算しなければならない。一方、ＲＳＳＩに対してはＲＳＳＩ帯域幅（RSSI bandwidth）の定義によって端末の受信機が有する周波数帯域で測定が行われることができる。
【０１３０】
図８は、本明細書で提案する方法が適用できるアンテナ整列（Antenna Array）の一例を示す図である。
【０１３１】
図８において、一般化したパネルアンテナ整列（panel antenna array）は、それぞれ水平ドメイン（horizontal domain）と垂直ドメイン（vertical domain）としてＭｇ個、Ｎｇ個のパネルから構成される。
【０１３２】
ここで、１つのパネルはそれぞれＭ個の列とＮ個の行から構成され、図８においてはＸ−ｐｏｌアンテナが仮定された。従って、総アンテナ要素の数は２＊Ｍ＊Ｎ＊Ｍｇ＊Ｎｇ個で構成されることができる。
【０１３３】
ＣＳＩ関連手続（Channel State Information related Procedure）
【０１３４】
図９は、本明細書で提案する方法が適用できるＣＳＩ関連手順の一例を示す図である。
【０１３５】
ＮＲシステムで、ＣＳＩ−ＲＳ（channel state information-reference signal）は時間及び／又は周波数トラッキング（time/frequency tracking）、ＣＳＩ計算（computation）、Ｌ１（layer 1）−ＲＳＲＰ（reference signal received power）計算（computation）、及び移動性（mobility）のために使われる。
【０１３６】
本明細書で使われる「Ａ及び／又はＢ」と「Ａ／Ｂ」は「ＡまたはＢのうちの少なくとも１つを含む」と同一な意味として解釈できる。
【０１３７】
前記ＣＳＩ計算はＣＳＩ取得（acquisition）と関連し、Ｌ１−ＲＳＲＰ計算はビーム管理（beam management：ＢＭ）と関連する。
【０１３８】
ＣＳＩ（channel state information）は、端末とアンテナポートとの間に形成される無線チャネル（または、リンクともいう）の品質を示すことができる情報を通称する。
【０１３９】
前記のようなＣＳＩ−ＲＳの用途のうちの１つを実行するために、端末（例：user equipment：ＵＥ）はＣＳＩと関連した設定（configuration）情報をＲＲＣ（radio resource control）シグナリングを通じて基地局（例：general Node B：ｇＮＢ）から受信する（Ｓ９０１０）。
【０１４０】
前記ＣＳＩと関連した設定（configuration）情報は、ＣＳＩ−ＩＭ（interference measurement）資源（resource）関連情報、ＣＳＩ測定設定（measurement configuration）関連情報、ＣＳＩ資源設定（resource configuration）関連情報、ＣＳＩ−ＲＳ資源（resource）関連情報、またはＣＳＩ報告設定（report configuration）関連情報のうち、少なくとも１つを含むことができる。
【０１４１】
前記ＣＳＩ−ＩＭ資源関連情報は、ＣＳＩ−ＩＭ資源情報（resource information）、ＣＳＩ−ＩＭ資源セット情報（resource set information）などを含むことができる。
【０１４２】
ＣＳＩ−ＩＭ 資源セット（resource set）はＣＳＩ−ＩＭ資源セットＩＤ（resource set ID（identifier））により識別され、１つの資源セットは少なくとも１つのＣＳＩ−ＩＭ資源を含む。
【０１４３】
各々のＣＳＩ−ＩＭ資源は、ＣＳＩ−ＩＭ資源ＩＤにより識別される。
【０１４４】
前記ＣＳＩ資源設定（resource configuration）関連情報は、ＮＺＰ（non zero power） ＣＳＩ−ＲＳ資源セット、ＣＳＩ−ＩＭ資源セット、またはＣＳＩ−ＳＳＢ資源セットのうち、少なくとも１つを含むグループを定義する。
【０１４５】
即ち、前記ＣＳＩ資源設定（resource configuration）関連情報は、ＣＳＩ−ＲＳ資源セットリストを含み、前記ＣＳＩ−ＲＳ資源セットリストは、ＮＺＰ ＣＳＩ−ＲＳ資源セットリスト、ＣＳＩ−ＩＭ資源セットリストt、またはＣＳＩ−ＳＳＢ資源セットリストのうち、少なくとも１つを含むことができる。
【０１４６】
前記ＣＳＩ資源設定（resource configuration）関連情報は、ＣＳＩ−Ｒｅｓｏｕｒｃｅ Ｃｏｎｆｉｇ ＩＥで表現できる。
【０１４７】
ＣＳＩ−ＲＳ資源セットはＣＳＩ−ＲＳ資源セットＩＤにより識別され、１つの資源セットは少なくとも１つのＣＳＩ−ＲＳ資源を含む。
【０１４８】
各々のＣＳＩ−ＲＳ資源は、ＣＳＩ−ＲＳ資源ＩＤにより識別される。
【０１４９】
表１のように、ＮＺＰ ＣＳＩ−ＲＳ資源セット別にＣＳＩ−ＲＳの用途を示すパラメータ（例：ＢＭ関連「ｒｅｐｅｔｉｔｉｏｎ」パラメータ、トラッキング関連「ｔｒｓ−Ｉｎｆｏ」パラメータ）が設定できる。
【０１５０】
表４は、 ＮＺＰ ＣＳＩ−ＲＳ資源セット ＩＥの一例を示す。
【０１５１】
【表４】
0006911147.tif 000037
【０１５２】
表４で、ｒｅｐｅｔｉｔｉｏｎパラメータは同一なビームの反復送信有無を示すパラメータであって、ＮＺＰ ＣＳＩ−ＲＳ資源セット別にｒｅｐｅｔｉｔｉｏｎが「ＯＮ」または「ＯＦＦ」であるかを指示する。
【０１５３】
本明細書で使われる送信ビーム（Tx beam）は、空間領域送信フィルタ（spatial domain transmission filter）と、受信ビーム（Rx beam）は空間領域受信フィルタ（spatial domain reception filter）と同一な意味として解釈できる。
【０１５４】
例えば、表４のｒｅｐｅｔｉｔｉｏｎパラメータが「ＯＦＦ」に設定された場合、端末は資源セット内のＮＺＰ ＣＳＩ−ＲＳ資源が全てのシンボルで同一なＤＬ空間領域送信フィルタ（DL spatial domain transmission filter）と同一なＮｒｏｆｐｏｒｔｓに送信されると仮定しない。
【０１５５】
そして、上位階層パラメータに該当するｒｅｐｅｔｉｔｉｏｎパラメータはＬ１パラメータの「ＣＳＩ−ＲＳ−Ｒｅｓｏｕｒｃｅ Ｒｅｐ」に対応する。
【０１５６】
前記ＣＳＩ報告設定（report configuration）関連情報は、時間領域行動（time domain behavior）を示す報告設定タイプ（ｒｅｐｏｒｔＣｏｎｆｉｇＴｙｐｅ）パラメータ及び報告するためのＣＳＩ関連ｑｕａｎｔｉｔｙを示す報告量（ｒｅｐｏｒｔ Ｑｕａｎｔｉｔｙ）パラメータを含む。
【０１５７】
前記時間領域行動（time domain behavior）は、周期的（periodic）、非周期的（aperiodic）、または半永久的（semi-persistent）でありうる。 
【０１５８】
そして、前記ＣＳＩ報告設定（report configuration）関連情報は、ＣＳＩ−ＲｅｐｏｒｔＣｏｎｆｉｇ ＩＥで表現されることができ、以下の表５はＣＳＩ−ＲｅｐｏｒｔＣｏｎｆｉｇ ＩＥの一例を示す。
【０１５９】
【表５】
0006911147.tif 000038
【０１６０】
そして、前記端末は前記ＣＳＩと関連した設定（configuration）情報に基づいてＣＳＩを測定（measurement）する（Ｓ９０２０）。
【０１６１】
前記CSI測定は、（１）端末のＣＳＩ−ＲＳ受信過程（Ｓ９０２２）と、（２）受信されたＣＳＩ−ＲＳによりＣＳＩを計算（computation）する過程（Ｓ９０２４）を含むことができる。
【０１６２】
前記ＣＳＩ−ＲＳに対するシーケンス（sequence）は以下の数式２により生成され、疑似ランダムシーケンス（pseudo-random sequence）Ｃ（i）の初期値（initialization value）は数式３により定義される。
【０１６３】
【数２】
0006911147.tif 000039
【０１６４】
【数３】
0006911147.tif 000040
【０１６５】
数式２及び３で、
0006911147.tif 000041
はradio frame内スロット番号（slot number）を示し、疑似ランダムシーケンス発生器（pseudo-random sequence generator）は
0006911147.tif 000042
である各ＯＦＤＭシンボルの開始でＣｉｎｔに初期化される。
【０１６６】
そして、ｌはスロット内ＯＦＤＭ symbol numberであり、
0006911147.tif 000043
は上位階層パラメータｓｃｒａｍｂｌｉｎｇＩＤと同一である。
【０１６７】
そして、前記ＣＳＩ−ＲＳは、上位階層パラメータＣＳＩ−ＲＳ−ＲｅｓｏｕｒｃｅＭａｐｐｉｎｇにより時間（time）及び周波数（frequency）領域でＣＳＩ−ＲＳ資源のＲＥ（resource element）マッピングが設定される。
【０１６８】
表６は、ＣＳＩ−ＲＳ−ＲｅｓｏｕｒｃｅＭａｐｐｉｎｇ ＩＥの一例を示す。
【０１６９】
【表６】
0006911147.tif 000044
【０１７０】
表６で、密度（density：Ｄ）はＲＥ／ｐｏｒｔ／ＰＲＢ（physical resource block）で測定されるＣＳＩ−ＲＳ資源の密度を示し、ｎｒｏｆＰｏｒｔｓはアンテナポートの個数を示す。
【０１７１】
そして、前記端末は前記測定されたＣＳＩを基地局に報告（report）する（Ｓ９０３０）。
【０１７２】
ここで、表６のＣＳＩ−ＲｅｐｏｒｔＣｏｎｆｉｇのｑｕａｎｔｉｔｙが「ｎｏｎｅ（または、Ｎｏ ｒｅｐｏｒｔ）」に設定された場合、前記端末は前記報告を省略することができる。
【０１７３】
但し、前記ｑｕａｎｔｉｔｙが「ｎｏｎｅ（または、Ｎｏ ｒｅｐｏｒｔ）」に設定された場合にも前記端末は基地局に報告することもできる。
【０１７４】
前記ｑｕａｎｔｉｔｙが「ｎｏｎｅ」に設定された場合は、非周期的ＴＲＳ（aperiodic TRS）をトリガー（trigger）する場合、またはｒｅｐｅｔｉｔｉｏｎが設定された場合である。
【０１７５】
ここで、ｒｅｐｅｔｉｔｉｏｎが「ＯＮ」に設定された場合のみに前記端末の報告を省略するように定義することもできる。
【０１７６】
整理すると、ｒｅｐｅｔｉｔｉｏｎが「ＯＮ」及び「ＯＦＦ」に設定される場合、ＣＳＩ報告（CSI report）は「Ｎｏ ｒｅｐｏｒｔ」、「ＳＳＢＲＩ（SSB Resource Indicator）及びＬ１−ＲＳＲＰ」、「ＣＲＩ（CSI-RS Resource Indicator）及びＬ１−ＲＳＲＰ」全て可能でありうる。
【０１７７】
または、ｒｅｐｅｔｉｔｉｏｎが「ＯＦＦ」の場合には「ＳＳＢＲＩ及びＬ１−ＲＳＲＰ」または「ＣＲＩ及びＬ１−ＲＳＲＰ」のＣＳＩ報告が送信されるように定義され、ｒｅｐｅｔｉｔｉｏｎが「ＯＮ」の場合には「Ｎｏ  ｒｅｐｏｒｔ」、「ＳＳＢＲＩ及びＬ１−ＲＳＲＰ」、または「ＣＲＩ及びＬ１−ＲＳＲＰ」が送信されるように定義できる。
【０１７８】
ＣＳＩ測定及び報告（CSI measurement and reporting）手続
【０１７９】
ＮＲシステムは、より柔軟で動的なＣＳＩ測定（measurement）及び報告（reporting）を支援する。
【０１８０】
前記ＣＳＩ測定はＣＳＩ−ＲＳを受信し、受信されたＣＳＩ−ＲＳを計算してＣＳＩを取得する手続を含むことができる。
【０１８１】
ＣＳＩ測定及び報告（reporting）の時間領域行動（time domain behavior）として、非周期的／半永久的／周期的ＣＭ（channel measurement）及びＩＭ（interference measurement）が支援される。
【０１８２】
ＣＳＩ−ＩＭの設定のために４ｐｏｒｔ ＮＺＰ ＣＳＩ−ＲＳ  ＲＥパターンを用いる。
【０１８３】
ＮＲのＣＳＩ−ＩＭベースＩＭＲはＬＴＥのＣＳＩ−ＩＭと類似のデザインを有し、ＰＤＳＣＨレートマッチング（rate matching）のためのＺＰ ＣＳＩ−ＲＳ資源とは独立的に設定される。
【０１８４】
そして、ＮＺＰ ＣＳＩ−ＲＳベースＩＭＲで各々のポートは（好ましいチャネル及び）プリコーディングされた（precoded）ＮＺＰ ＣＳＩ−ＲＳを有する干渉階層（interference layer）を エミュレート（emulate）する。
【０１８５】
これは、マルチユーザ（multi-user）ケースに対してセル内干渉測定（intra-cell interference measurement）に対するものであって、ＭＵ干渉を主にターゲットする。
【０１８６】
基地局は、設定されたＮＺＰ ＣＳＩ−ＲＳベースＩＭＲの各ポート上でプリコーディングされたＮＺＰ ＣＳＩ−ＲＳを端末に送信する。
【０１８７】
端末は資源セットで各々のポートに対してチャネル／干渉階層（channel/interference layer）を仮定し、干渉を測定する。
【０１８８】
チャネルに対して、どんなＰＭＩ及びＲＩフィードバックもない場合、多数の資源はセットで設定され、基地局またはネットワークはチャネル／干渉測定（channel/interference measurement）に対してＮＺＰ ＣＳＩ−ＲＳ 資源のサブセットをＤＣＩを通じて指示する。
【０１８９】
資源セッティング（resource setting）及び資源セッティング設定（resource setting configuration）に対し、より具体的に説明する。
【０１９０】
資源セッティング（resource setting）
【０１９１】
各々のＣＳＩ資源セッティング（CSI resource setting）「ＣＳＩ−ＲｅｓｏｕｒｃｅＣｏｎｆｉｇ」は（上位階層パラメータｃｓｉ−ＲＳ−ＲｅｓｏｕｒｃｅＳｅｔＬｉｓｔにより与えられた）Ｓ≧１ＣＳＩ資源セットに対する設定（configuration）を含む。
【０１９２】
ここで、ＣＳＩ資源セッティング（CSI resource setting）は、ＣＳＩ−ＲＳ−ｒｅｓｏｕｒｃｅｓｅｔｌｉｓｔに対応する。
【０１９３】
ここで、Ｓは設定されたＣＳＩ−ＲＳ資源セットの数を示す。
【０１９４】
ここで、Ｓ≧１ＣＳＩ資源セットに対する設定（configuration）は（ＮＺＰ ＣＳＩ−ＲＳまたはＣＳＩ−ＩＭで構成された）ＣＳＩ−ＲＳ資源を含む各々のＣＳＩ資源セットとＬ１−ＲＳＲＰ計算（computation）に使われるＳＳ／ＰＢＣＨブロック（ＳＳＢ）資源を含む。
【０１９５】
各ＣＳＩ資源セッティングは、上位階層パラメータｂｗｐ−ｉｄにより識別されるＤＬ ＢＷＰ（bandwidth part）に位置する。
【０１９６】
そして、ＣＳＩ報告セッティング（CSI reporting setting）にリンクされた全てのＣＳＩ資源セッティングは同一なＤＬ ＢＷＰを有する。
【０１９７】
ＣＳＩ−ＲｅｓｏｕｒｃｅＣｏｎｆｉｇ  ＩＥに含まれるＣＳＩ資源セッティング内でＣＳＩ−ＲＳ資源の時間領域行動（time domain behavior）は上位階層パラメータｒｅｓｏｕｒｃｅＴｙｐｅにより指示され、非周期的、周期的、または半永久的に設定できる。
【０１９８】
周期的及び半永久的ＣＳＩ資源セッティングに対し、設定されたＣＳＩ−ＲＳ資源セットの数（Ｓ）は「１」に制限される。
【０１９９】
周期的及び半永久的ＣＳＩ資源セッティングに対し、設定された周期（periodicity）及びスロットオフセット（slot off set）はｂｗｐ−ｉｄにより与えられるように、関連したＤＬ ＢＷＰのnumerologyから与えられる。
【０２００】
ＵＥが同一なNZP ＣＳＩ−ＲＳ資源 IDを含む多数のＣＳＩ−ＲｅｓｏｕｒｃｅＣｏｎｆｉｇに設定される時、同一な時間領域行動（time domain behavior）はＣＳＩ−ＲｅｓｏｕｒｃｅＣｏｎｆｉｇに対して設定される。
【０２０１】
ＵＥが同一なＣＳＩ−ＩＭ資源ＩＤを含む多数のＣＳＩ−ＲｅｓｏｕｒｃｅＣｏｎｆｉｇに設定される時、同一な時間領域行動（time domain behavior）はＣＳＩ−ＲｅｓｏｕｒｃｅＣｏｎｆｉｇに対して設定される。
【０２０２】
次は、チャネル測定（channel measurement：ＣＭ）及び干渉測定（interference measurement：ＩＭ）のための１つまたはその以上のＣＳＩ資源セッティングは上位階層シグナリングを通じて設定される。
【０２０３】
−干渉測定に対するＣＳＩ−ＩＭ資源。
【０２０４】
−干渉測定に対するＮＺＰ ＣＳＩ−ＲＳ資源。
【０２０５】
−チャネル測定に対するＮＺＰ ＣＳＩ−ＲＳ資源。
【０２０６】
即ち、ＣＭＲ（channel measurement resource）はＣＳＩ取得のためのＮＺＰ ＣＳＩ−ＲＳであり、ＩＭＲ（Interference measurement resource）はＣＳＩ−ＩＭとＩＭのためのＮＺＰ ＣＳＩ−ＲＳでありうる。
【０２０７】
ここで、ＣＳＩ−ＩＭ（または、ＩＭのためのＺＰ ＣＳＩ−ＲＳ）は主にセル間干渉測定（inter-cell interference measurement）に対して使われる。
【０２０８】
そして、ＩＭのためのＮＺＰ ＣＳＩ−ＲＳは主にマルチユーザからセル内干渉測定（intra-cell interference measurement）のために使われる。
【０２０９】
ＵＥはチャネル測定のためのＣＳＩ−ＲＳ資源及び１つのＣＳＩ報告（reporting）のために設定された干渉測定のためのＣＳＩ−ＩＭ／ＮＺＰ ＣＳＩ−ＲＳ資源が資源別に「ＱＣＬ−ＴｙｐｅＤ」と仮定することができる。
【０２１０】
資源セッティング設定（resource setting configuration）
【０２１１】
説明したように、資源セッティングは資源セットリスト（resource set list）を意味することができる。
【０２１２】
非周期的ＣＳＩ（aperiodic CSI）に対し、上位階層パラメータＣＳＩ−ＡｐｅｒｉｏｄｉｃＴｒｉｇｇｅｒＳｔａｔｅを使用して設定される各トリガー状態（trigger state）は各々のＣＳＩ−ＲｅｐｏｒｔＣｏｎｆｉｇが周期的、半永久的または非周期的資源セッティングにリンクされる１つまたは多数のＣＳＩ−ＲｅｐｏｒｔＣｏｎｆｉｇと関連する。
【０２１３】
１つの報告セッティング（reporting setting）は最大３個までの資源セッティングと連結できる。
【０２１４】
−１つの資源セッティングが設定されれば、（上位階層パラメータｒｅｓｏｕｒｃｅｓＦｏｒＣｈａｎｎｅｌＭｅａｓｕｒｅｍｅｎｔにより与えられる）資源セッティングはＬ１−ＲＳＲＰ計算のためのチャネル測定に対するものである。
【０２１５】
−２つの資源セッティングが設定されれば、（上位階層パラメータｒｅｓｏｕｒｃｅｓＦｏｒＣｈａｎｎｅｌＭｅａｓｕｒｅｍｅｎｔにより与えられる）最初の資源セッティングはチャネル測定のためのものであり、（ｃｓｉ−ＩＭ−ＲｅｓｏｕｒｃｅｓＦｏｒＩｎｔｅｒｆｅｒｅｎｃｅまたはｎｚｐ−ＣＳＩ−ＲＳ−ＲｅｓｏｕｒｃｅｓＦｏｒＩｎｔｅｒｆｅｒｅｎｃｅにより与えられる）第２の資源セッティングはＣＳＩ−ＩＭまたはＮＺＰ ＣＳＩ−ＲＳ上で実行される干渉測定のためのものである。
【０２１６】
−３個の資源セッティングが設定されれば、（ｒｅｓｏｕｒｃｅｓＦｏｒＣｈａｎｎｅｌ Ｍｅａｓｕｒｅｍｅｎｔにより与えられる）最初の資源セッティングはチャネル測定のためのものであり、（ＣＳＩ−ＩＭ−ＲｅｓｏｕｒｃｅｓＦｏｒＩｎｔｅｒｆｅｒｅｎｃｅにより与えられる）第２の資源セッティングはＣＳＩ−ＩＭベース干渉測定のためのものであり、（ｎｚｐ−ＣＳＩ−ＲＳ−ＲｅｓｏｕｒｃｅｓＦｏｒＩｎｔｅｒｆｅｒｅｎｃｅにより与えられる）第３の資源セッティングはＮＺＰ ＣＳＩ−ＲＳベース干渉測定のためのものである。
【０２１７】
半永久的または周期的ＣＳＩに対し、各ＣＳＩ−ＲｅｐｏｒｔＣｏｎｆｉｇは周期的または半永久的資源セッティングにリンクされる。
【０２１８】
−（ｒｅｓｏｕｒｃｅｓＦｏｒＣｈａｎｎｅｌＭｅａｓｕｒｅｍｅｎｔにより与えられる）１つの資源セッティングが設定されれば、前記資源セッティングはＬ１−ＲＳＲＰ計算のためのチャネル測定に対するものである。
【０２１９】
−２つの資源セッティングが設定されれば、（ｒｅｓｏｕｒｃｅｓＦｏｒＣｈａｎｎｅｌ Ｍｅａｓｕｒｅｍｅｎｔにより与えられる）最初の資源セッティングはチャネル測定のためのものであり、（上位階層パラメータｃｓｉ−ＩＭ−ＲｅｓｏｕｒｃｅｓＦｏｒＩｎｔｅｒｆｅｒｅｎｃｅにより与えられる）第２の資源セッティングはＣＳＩ−ＩＭ上で実行される干渉測定のために使われる。
【０２２０】
ＣＳＩ測定関連ＣＳＩ計算について説明する。
【０２２１】
干渉測定がＣＳＩ−ＩＭ上で実行されれば、チャネル測定のための各々のＣＳＩ−ＲＳ資源は対応する資源セット内でＣＳＩ−ＲＳ資源及びＣＳＩ−ＩＭ資源の順序によりＣＳＩ−ＩＭ資源と資源別に関連する。
【０２２２】
チャネル測定のためのＣＳＩ−ＲＳ資源の数はＣＳＩ−ＩＭ資源の数と同一である。
【０２２３】
そして、干渉測定がＮＺＰ ＣＳＩ−ＲＳで実行される場合、ＵＥはチャネル測定のための資源セッティング内で関連した資源セットで１つ以上のＮＺＰ ＣＳＩ−ＲＳ資源に設定されることと期待しない。
【０２２４】
上位階層パラメータｎｚｐ−ＣＳＩ−ＲＳ−ＲｅｓｏｕｒｃｅｓＦｏｒＩｎｔｅｒｆｅｒｅｎｃｅが設定された端末は、ＮＺＰ ＣＳＩ−ＲＳ資源セット内に１８個以上のＮＺＰ ＣＳＩ−ＲＳポートが設定されることと期待しない。
【０２２５】
ＣＳＩ測定のために、端末は以下の事項を仮定する。
【０２２６】
−干渉測定のために設定された各々のＮＺＰ ＣＳＩ−ＲＳポートは干渉送信階層に該当する。
【０２２７】
−干渉測定のためのＮＺＰ ＣＳＩ−ＲＳポートの全ての干渉送信レイヤはＥＰＲＥ（energy per resource element）割合を考慮する。
【０２２８】
−チャネル測定のためのＮＺＰ ＣＳＩ−ＲＳ資源のＲＥ（ら）上で異なる干渉信号、干渉測定のためのＮＺＰ ＣＳＩ−ＲＳ資源または干渉測定のためのＣＳＩ−ＩＭ資源。
【０２２９】
ＣＳＩ報告（Reporting）手続について、より具体的に説明する。
【０２３０】
ＣＳＩ報告のために、ＵＥが使用することができる時間及び周波数資源は基地局により制御される。
【０２３１】
ＣＳＩ（channel state information）は、チャネル品質インジケータ（channel quality indicator：ＣＱＩ）、プリコーディング行列インジケータ（precoding matrix indicator：ＰＭＩ）、ＣＳＩ−ＲＳ資源インジケータ（CSI-RS Resource Indicator：ＣＲＩ）、ＳＳ／ＰＢＣＨブロック資源インジケータ（SS/PBCH block resource indicator：ＳＳＢＲＩ）、ＬＩ（layer indicator）、ＲＩ（rank indicator）、またはＬ１−ＲＳＲＰのうち、少なくとも１つを含むことができる。
【０２３２】
ＣＱＩ、ＰＭＩ、ＣＲＩ、ＳＳＢＲＩ、ＬＩ、ＲＩ、Ｌ１−ＲＳＲＰに対し、端末はＮ≧１ＣＳＩ−ＲｅｐｏｒｔＣｏｎｆｉｇ報告セッティング（reporting setting）、Ｍ≧１ＣＳＩ−ＲｅｓｏｕｒｃｅＣｏｎｆｉｇ資源セッティング（resource setting）、及び１つまたは２つのトリガー状態のリスト（ａｐｅｒｉｏｄｉｃＴｒｉｇｇｅｒＳｔａｔｅＬｉｓｔ及びｓｅｍｉＰｅｒｓｉｓｔｅｎｔＯｎＰＵＳＣＨ−ＴｒｉｇｇｅｒＳｔａｔｅＬｉｓｔにより提供される）で上位階層により設定される。
【０２３３】
前記ａｐｅｒｉｏｄｉｃＴｒｉｇｇｅｒＳｔａｔｅＬｉｓｔで、各トリガー状態はチャネル及び選択的に干渉に対する資源セットＩＤを指示する関連したＣＳＩ−ＲｅｐｏｒｔＣｏｎｆｉｇｓリストを含む。
【０２３４】
前記ｓｅｍｉＰｅｒｓｉｓｔｅｎｔＯｎＰＵＳＣＨ−ＴｒｉｇｇｅｒＳｔａｔｅＬｉｓｔで、各トリガー状態は１つの関連したＣＳＩ−ＲｅｐｏｒｔＣｏｎｆｉｇが含まれる。
【０２３５】
そして、ＣＳＩ報告の時間領域行動（time domain behavior）は、周期的、半永久的、非周期的を支援する。
【０２３６】
以下、周期的、半永久的（semi-persistent：ＳP）、非周期的ＣＳＩ報告（aperiodic CSI reporting）について各々説明する。
【０２３７】
周期的ＣＳＩ報告（Periodic CSI reporting）は、ショート（short）ＰＵＣＣＨ、ロング（long）ＰＵＣＣＨ上で行われる。
【０２３８】
周期的ＣＳＩ報告の周期（periodicity）及びスロットオフセット（slot offset）はＲＲＣに設定されることができ、ＣＳＩ−ＲｅｐｏｒｔＣｏｎｆｉｇ ＩＥを参考する。
【０２３９】
次に、ＳＰ ＣＳＩ報告（SP CSI reporting）は、ショートＰＵＣＣＨ、ロングＰＵＣＣＨ、またはＰＵＳＣＨ上で実行される。
【０２４０】
ショート／ロングＰＵＣＣＨ上でＳＰ ＣＳＩである場合、周期（periodicity）及びスロットオフセット（slot offset）はＲＲＣに設定され、別途のＭＡＣ ＣＥにＣＳＩ報告が活性化／非活性化（activation／deactivation）される。
【０２４１】
ＰＵＳＣＨ上でＳＰ ＣＳＩである場合、ＳＰ ＣＳＩ報告の周期（periodicity）はＲＲＣに設定されるが、スロットオフセットはＲＲＣに設定されず、ＤＣＩ（format 0_1）によりＳＰ ＣＳＩ報告は活性化／非活性化される。
【０２４２】
最初のＣＳＩ報告タイミングは、ＤＣＩで指示されるＰＵＳＣＨ時間領域割り当て（time domain allocation）値に従い、後続するＣＳＩ報告タイミングはＲＲＣに設定された周期に従う。
【０２４３】
ＰＵＳＣＨ上でＳＰ ＣＳＩ報告に対し、分離されたＲＮＴＩ（SP-CSIC-RNTI）が使われる。
【０２４４】
ＤＣＩ ｆｏｒｍａｔ０＿１はＣＳＩ要求フィールド（CSI request field）を含み、特定設定された（configured）ＳＰ−ＣＳＩトリガー状態を活性化／非活性することができる。
【０２４５】
そして、ＳＰ ＣＳＩ報告は、ＳＰＳ ＰＵＳＣＨ上でデータ送信を有するメカニズムと同一または類似の活性化／非活性化を有する。
【０２４６】
次に、非周期的ＣＳＩ報告はＰＵＳＣＨ上で実行され、ＤＣＩによりトリガーされる。
【０２４７】
ＡＰ ＣＳＩ−ＲＳを有するＡＰ ＣＳＩの場合、ＡＰ ＣＳＩ−ＲＳタイミングはＲＲＣにより設定される。
【０２４８】
ここで、ＡＰ ＣＳＩ報告（AP CSI reporting）に対するタイミングはＤＣＩにより動的に制御される。
【０２４９】
ＮＲは、ＬＴＥでＰＵＣＣＨベースＣＳＩ報告に適用されていた多数のreporting instanceでＣＳＩを分けて報告する方式（例えば、ＲＩ、ＷＢ ＰＭＩ／ＣＱＩ、ＳＢ ＰＭＩ／ＣＱＩの順に送信）が適用されない。
【０２５０】
代わりに、ＮＲはショート／ロングＰＵＣＣＨで特定CSI報告が設定できないように制限し、ＣＳＩ省略ルール（CSI omission rule）が定義される。
【０２５１】
そして、ＡＰ ＣＳＩ報告タイミングと関連して、ＰＵＳＣＨシンボル／スロット位置（location）はＤＣＩにより動的に指示される。そして、候補スロットオフセット（candidate slot offset）はＲＲＣにより設定される。
【０２５２】
ＣＳＩ報告に対し、スロットオフセット（Ｙ）は報告セッティング別に設定される。
【０２５３】
ＵＬ−ＳＣＨに対し、スロットオフセットＫ２は別個に設定される。
【０２５４】
２つのＣＳＩ遅延クラス（CSI latency class）（低遅延クラス、高遅延クラス）は、ＣＳＩ計算複雑度（CSI computation complexity）の観点で定義される。
【０２５５】
低遅延（Low latency）のＣＳＩの場合、最大４ポートＴｙｐｅ−Ｉコードブックまたは最大４ポートノンＰＭＩフィードバックＣＳＩ（non-PMI feedback CSI）を含むＷＢ ＣＳＩである。
【０２５６】
高遅延（High latency）のＣＳＩは、低遅延のＣＳＩを除いた他のＣＳＩをいう。
【０２５７】
一般端末に対し、（Ｚ、ｚ’）はＯＦＤＭシンボルの単位（unit）で定義される。
【０２５８】
Ｚは、非周期的ＣＳＩトリガリングＤＣＩ（Aperiodic CSI triggering DCI）を受信した後、ＣＳＩ報告を実行するまでの最小ＣＳＩプロセッシングタイム（processing time）を示す。
【０２５９】
Ｚ’は、チャネル／干渉に対するＣＳＩ−ＲＳを受信した後、ＣＳＩ報告を実行するまでの最小ＣＳＩプロセッシングタイムを示す。
【０２６０】
追加的に、端末は同時に計算（calculation）することができるＣＳＩの個数を報告する。
【０２６１】
ＰＵＳＣＨを用いたＣＳＩ報告（CSI reporting using PUSCH）
【０２６２】
図１０は、ＰＵＳＣＨベースＣＳＩ報告の情報ペイロード（payload）の一例を示す。
【０２６３】
ＮＺＢＩは、ＴｙｐｅＩＩ ＰＭＩコードブックに対して階層別ノンゼロ広帯域振幅係数（non-zero wideband amplitude coefficients）の個数に対する指示（indication）を示すパラメータである。
【０２６４】
すなわち、ＮＺＢＩは、ＴｙｐｅＩＩ ＰＭＩコードブックに対して階層別ノンゼロ広帯域振幅係数（non-zero wideband amplitude coefficients）の個数に対する指示（indication）を示すパラメータである。
【０２６５】
すなわち、ＮＺＢＩは、０又は０でない相対的振幅係数を示すインジケータである。
【０２６６】
または、ＮＺＢＩは、ゼロ振幅（zero amplitude）ビーム又はノンゼロ振幅（non-zero amplitude）ビームの数を示すことができ、Ｎ＿ＲＰＩ０と称することができる。
【０２６７】
ＤＣＩに対するデコーディングが成功する場合、端末は、サービングセル（ｃ）のＰＵＳＣＨを用いて非周期的（aperiodic）ＣＳＩ報告を行う。
【０２６８】
ＰＵＳＣＨで行われる非周期的ＣＳＩ報告は、広帯域（wideband）及びサブバンド（sub-band）周波数細分性（frequency granularity）を支援する。
【０２６９】
ＰＵＳＣＨで行われる非周期的ＣＳＩ報告は、ＴｙｐｅＩ及びＴｙｐｅＩＩＣＳＩを支援する。
【０２７０】
ＳＰ（semi-persistent） ＣＳＩトリガー状態を活性化するＤＣＩフォーマット０＿１に対するデコーディングが成功する場合、端末は、ＰＵＳＣＨに対するＳＰ ＣＳＩ報告を行う。
【０２７１】
ＤＣＩフォーマット０＿１は、活性化又は非活性化するＳＰ ＣＳＩトリガー状態を示すＣＳＩ要求フィールド（request field）を含む。
【０２７２】
ＰＵＳＣＨに対するＳＰ ＣＳＩ報告、広帯域及びサブバンド周波数細分性を有するＴｙｐｅＩ及びＴｙｐｅＩＩ ＣＳＩを支援する。
【０２７３】
ＳＰ ＣＳＩ報告に対するＰＵＳＣＨ資源及びＭＣＳ（Modulation and Coding Scheme）は、ＵＬ ＤＣＩにより半永久的に割り当てられる。
【０２７４】
ＰＵＳＣＨに対するＣＳＩ報告は、ＰＵＳＣＨ上のＵＬデータと多重化（multiplexing）されることができる。
【０２７５】
また、ＰＵＳＣＨに対するＣＳＩ報告は、ＵＬデータと多重化されずに行われることができる。
【０２７６】
ＰＵＳＣＨ上でＴｙｐｅＩ及びＴｙｐｅＩＩ ＣＳＩに対して、ＣＳＩ報告は、図１１に示すように、２つのパート（パート１及びパート２）を含む。
【０２７７】
パート１（１０１０）は、パート２（１０２０）の情報ビット数を識別するために用いられる。パート１は、パート２以前に全体が送信される。
【０２７８】
− ＴｙｐｅＩ ＣＳＩフィードバックに対して、パート１は（報告された場合）ＲＩ、（報告された場合）ＣＲＩ、１番目のコードワード（codeword）のＣＱＩを含む。
【０２７９】
パート２はＰＭＩを含み、ＲＩ＞４であるとき、２番目のコードワードに対するＣＱＩを含む。
【０２８０】
− ＴｙｐｅＩＩ ＣＳＩフィードバックに対して、パート１は固定されたペイロードサイズを有し、ＲＩ、ＣＱＩ及びＴｙｐｅＩＩ ＣＳＩに対する階層当たりノンゼロ広帯域振幅係数（non-zero wideband amplitude coefficient）の数に対する指示（ＮＺＢＩ）を含む。
【０２８１】
パート１において、ＲＩ、ＣＱＩ及びＮＺＢＩは別途にエンコーディングされる。
【０２８２】
パート２は、ＴｙｐｅＩＩ ＣＳＩのＰＭＩを含む。
【０２８３】
パート１とパート２は、別途にエンコーディングされる。
【０２８４】
ＰＵＳＣＨ上で運ばれるＴｙｐｅＩＩ ＣＳＩ報告は、ＰＵＣＣＨフォーマット１、３又は４で運ばれる全てのＴｙｐｅＩＩ ＣＳＩ報告と独立に計算される。
【０２８５】
上位階層パラメータｒｅｐｏｒｔＱｕａｎｔｉｔｙが「ｃｒｉ−ＲＳＲＰ」又は「ｓｓｂ−Ｉｎｄｅｘ−ＲＳＲＰ」値のうち１つに設定されると、ＣＳＩフィードバックは１つの（single）パートで構成される。
【０２８６】
ＰＵＣＣＨに対して設定されているがＰＵＳＣＨから送信されるＴｙｐｅＩ及びＴｙｐｅＩＩ ＣＳＩ報告に対して、エンコーディングスキーム（encoding scheme）はＰＵＣＣＨのエンコーディング方式に従う。
【０２８７】
ＰＵＳＣＨでＣＳＩ報告が２つのパートを含み、報告するＣＳＩペイロードがＣＳＩ報告のために割り当てられたＰＵＳＣＨ資源で提供するペイロードのサイズより不足した場合、端末は、パート２ ＣＳＩの一部を省略することができる。
【０２８８】
パート２ ＣＳＩの省略（omission）は優先順位に従って決定され、優先度（Priority）０が最も高い優先順位であり、優先順位は最も低い優先順位を有する。
【０２８９】
ＰＵＣＣＨを用いたＣＳＩ報告（CSI reporting using PUCCH）
【０２９０】
端末は、ＰＵＣＣＨ上で周期的なＣＳＩ報告を行うために上位階層により伴静的に（semi-statically）構成される。
【０２９１】
端末は、連関するＣＳＩ測定リンク（CSI measurement link）及びＣＳＩ資源セッティング（CSI resource setting）が上位階層に設定された１つ以上の上位階層に設定されたＣＳＩ報告セッティング指示（CSI report setting indication）に該当する複数の周期的ＣＳＩ報告に対して上位階層に設定されることができる。
【０２９２】
ＰＵＣＣＨフォーマット２、３又は４で周期的ＣＳＩ報告は広帯域単位でＴｙｐｅＩ ＣＳＩを支援する。
【０２９３】
ＰＵＳＣＨ上でＳＰ ＣＳＩに対して、端末は、選択命令（selection command）を運ぶＰＤＳＣＨに対応するＨＡＲＱ−ＡＣＫがスロットｎで送信された後、
0006911147.tif 000045
から始まって適用されたＰＵＣＣＨでＳＰ ＣＳＩ報告を行う。
【０２９４】
前記選択命令（selection command）は、連関するＣＳＩ資源セッティングが設定される１つ以上の報告セッティング指示（report setting indication）を含む。
【０２９５】
ＰＵＣＣＨでＳＰ ＣＳＩ報告はＴｙｐｅＩ ＣＳＩを支援する。
【０２９６】
ＰＵＣＣＨフォーマット２に対するＳＰ ＣＳＩ報告は、広帯域周波数細分性を有するＴｙｐｅＩ ＣＳＩを支援する。ＰＵＣＣＨフォーマット３又は４でＳＰ ＣＳＩ報告は広帯域周波数細分性を有するＴｙｐｅＩサブバンドＣＳＩ及びＴｙｐｅＩＩ ＣＳＩを支援する。
【０２９７】
ＰＵＣＣＨが広帯域周波数細分性を有するＴｙｐｅＩ ＣＳＩを運ぶとき、ＰＵＣＣＨフォーマット２及びＰＵＣＣＨフォーマット３又は４により運ばれるＣＳＩペイロードは（報告された場合）ＲＩ、（報告されたる場合）ＣＲＩに関係なく同一である。
【０２９８】
ＰＵＣＣＨフォーマット３又は４でＴｙｐｅＩ ＣＳＩサブバンド報告の場合、ペイロードは２つのパートに分離される。
【０２９９】
１番目のパート（パート１）は、（報告された場合）ＲＩ、（報告された場合）ＣＲＩ、１番目のコードワードのＣＱＩを含む。
【０３００】
２番目のパート（パート２）はＰＭＩを含み、ＲＩ＞４であるとき、２番目のコードワードに対するＣＱＩを含む。
【０３０１】
ＰＵＣＣＨフォーマット３又は４で運ばれるＳＰ ＣＳＩ報告は、ＴｙｐｅＩＩ ＣＳＩフィードバックを支援するが、ＴｙｐｅＩＩ ＣＳＩフィードバックのパート１のみを支援する。
【０３０２】
ＴｙｐｅＩＩを支援するＰＵＣＣＨフォーマット３又は４でＣＳＩ報告はＵＥ能力（UE capability）に依存することができる。
【０３０３】
ＰＵＣＣＨフォーマット３又は４で運ばれるＴｙｐｅＩＩ ＣＳＩ報告（パート１のみ該当）はＰＵＳＣＨで運ばれるＴｙｐｅＩＩ ＣＳＩ報告と独立に計算される。
【０３０４】
端末がＰＵＣＣＨフォーマット２、３又は４でＣＳＩ報告に設定されるとき、それぞれのＰＵＣＣＨ資源はそれぞれの候補（candidate）ＵＬ ＢＷＰに対して設定される。
【０３０５】
端末がＰＵＣＣＨで活性化されたＳＰ ＣＳＩ報告設定（active SP CSI report configuration）の設定を受け、非活性化命令（deactivation command）を受信しない場合、ＣＳＩ報告が行われるＢＷＰが活性化されたＢＷＰ（active BWP）であるときにＣＳＩ報告が行われ、それでないときはＣＳＩ報告は一時中止される。前記動作は、ＳＰ ＣＳＩ ｏｎ ＰＵＣＣＨの場合も同様に適用される。ＰＵＳＣＨベースＳＰ ＣＳＩ報告に対してＢＷＰスイッチングが発生すると、該当ＣＳＩ報告は自動的に非活性化されたものと理解する。
【０３０６】
表７は、ＰＵＣＣＨフォーマット（PUCCH format）の一例を示す。
【０３０７】
【表７】
0006911147.tif 000046
【０３０８】
表７において、
0006911147.tif 000047
は、ＯＦＤＭシンボルでＰＵＣＣＨ送信の長さを示す。
【０３０９】
また、ＰＵＣＣＨ送信の長さによってＰＵＣＣＨフォーマットはショート（short）ＰＵＣＣＨ又はロング（long）ＰＵＣＣＨに区分される。
【０３１０】
表７において、ＰＵＣＣＨフォーマット０及び２はショートＰＵＣＣＨと、ＰＵＣＣＨフォーマット１、３及び４はロングＰＵＣＣＨと称することができる。
【０３１１】
以下、ＰＵＣＣＨベースＣＳＩ報告に対してショートＰＵＣＣＨベースＣＳＩ報告及びロングＰＵＣＣＨベースＣＳＩ報告に区分してより具体的に説明する。
【０３１２】
図１１は、ショートＰＵＣＣＨベースＣＳＩ報告の情報ペイロードに対する一例を示す。
【０３１３】
ショートＰＵＣＣＨベースＣＳＩ報告は、広帯域ＣＳＩ報告（wideband CSI reporting）に対してのみ用いられる。
【０３１４】
ショートＰＵＣＣＨベースＣＳＩ報告は、（ブラインドデコーディング（blind decoding）を避けるために）与えられたスロットでＲＩ／ＣＲＩに関係なく同一の情報ペイロードを有する。
【０３１５】
前記情報ペイロードのサイズは、 ＣＳＩ−ＲＳ資源セット（CSI-RS resource set）内で設定されたＣＳＩ−ＲＳの最も多いＣＳＩ−ＲＳポートによって異なる。
【０３１６】
ＰＭＩとＣＱＩを含むペイロードがＲＩ／ＣＱＩに多様化されるとき、パディングビット（padding bit）は、相異なるＲＩ／ＣＲＩ値と連関するペイロードをイコライズ（equalize）するためのエンコーディングに先立ってＲＩ／ＣＲＩ／ＰＭＩ／ＣＱＩに追加される。
【０３１７】
また、ＲＩ／ＣＲＩ／ＰＭＩ／ＣＱＩは、必要に応じてパディングビットと共にエンコーディングされることができる。
【０３１８】
次に、ロングＰＵＣＣＨベースＣＳＩ報告について説明する。
【０３１９】
図１２は、ロングＰＵＣＣＨベースＣＳＩ報告の情報ペイロードに対する一例を示す。
【０３２０】
前記ロングＰＵＣＣＨベースＣＳＩ報告は、広帯域報告（wideband reporting）に対してショートＰＵＣＣＨと同一のソリューション（solution）を用いることができる。
【０３２１】
また、ロングＰＵＣＣＨベースＣＳＩ報告は、ＲＩ／ＣＲＩに関係なく同一のペイロードを有する。
【０３２２】
さらに、サブバンド報告（subband reporting）に対して、Ｔｗｏ−パートエンコーディング（For Type I）が適用される。
【０３２３】
パート１（１２１０）は、ポートの数、ＣＳＩタイプ、ＲＩ制限（restriction）などにより固定されたペイロードを有し、パート２（１２２０）は、パート１によって多様なペイロードサイズを有する。
【０３２４】
ＣＲＩ／ＲＩは、ＰＭＩ／ＣＱＩのペイロードを決定するために１番目にデコーディングされることができる。
【０３２５】
また、ＣＱＩｉ（ｉ＝１、２）は、ｉ番目の（i-th）コードワード（codeword：ＣＷ）に対するＣＱＩに対応する。
【０３２６】
ロングＰＵＣＣＨに対してＴｙｐｅＩＩ ＣＳＩ報告はパート１のみ運ばれることができる。
【０３２７】
ＮＲにおいて１つのスロットは１４個のスロットと定義されるので、表１で説明したＣＳＩの報告のための周期及びオフセットはアップリンクバンドのヌメロロジーによって実際周期及びオフセットが決定される。
【０３２８】
しかしながら、活性化されたダウンリンク帯域幅部分（DL active bandwidth part）が変更されない状態で活性化されたアップリンク帯域幅部分（UL active bandwidth part）が変更される場合、変更されたアップリンク帯域幅部分の周期及びオフセットは変更されたアップリンク帯域幅部分のヌメロロジーによって変化することがある。
【０３２９】
例えば、既存の設定が２０スロット周期（slot period）であったが、副搬送波間隔（subcarrier spacing）が２倍に増加する場合、シンボル区間（symbol duration）は半分に減少し、従って、設定された２０スロット周期は既存に設定された値（例えば、20ms for 15kHZ SCS）対比半分（例えば、10ms for 30kHZ SCS）の実際時間が用いられることができる。
【０３３０】
このように、 ＵＬ ａｃｔｉｖｅ ＢＷＰ（活性化されたアップリンク帯域幅部分）を新しく設定することにより、ＣＳＩの報告のための周期が意図とは異なって変化することがある。
【０３３１】
特に、対でない帯域（unpaired band）（例えば、ＴＤＤ）の場合とは異なり、対の帯域（paired band）（例えば、ＦＤＤ）はＵＬとＤＬに対して独立に活性化されたＢＷＰを設定することができるので、 ＤＬ ａｃｔｉｖｅ ＢＷＰ（活性化されたダウンリンク帯域幅部分）は固定であり、ＵＬ ａｃｔｉｖｅ ＢＷＰは変更されることができる。
【０３３２】
従って、ＵＬヌメロロジーが変更されてＣＳＩの報告に対する設定と異なって他の動作が自然に発生することができる。
【０３３３】
従って、本発明は、このような問題を解決するために、ＵＬ ａｃｔｉｖｅ ＢＷＰが変更された場合、変更によって設定値を設定するための方法を提供する。
【０３３４】
＜実施形態１＞
【０３３５】
ＵＬ ａｃｔｉｖｅ ＢＷＰ及び／又はヌメロロジーが変更される場合、変更されたＵＬ ａｃｔｉｖｅ ＢＷＰ及び／又はヌメロロジーと関連する設定は非活性化され、端末は基地局から非活性化された設定と関連する設定値を受信して適用することができる。
【０３３６】
具体的には、ＤＬ ａｃｔｉｖｅ ＢＷＰは固定であり、ＵＬ ａｃｔｉｖｅ ＢＷＰ及び／又はヌメロロジーが変更される場合、変更されたＵＬ ａｃｔｉｖｅ ＢＷＰ及び／又はヌメロロジーと関連する周期的及び／又は半永久的ＣＳＩ報告の構成情報に含まれる設定値のうち一部又は全部が自動的に活性化されないことがある。
【０３３７】
例えば、ＤＬ ａｃｔｉｖｅ ＢＷＰは固定であり、ＵＬ ａｃｔｉｖｅ ＢＷＰ及び／又はヌメロロジーが変更される場合、変更されたＵＬ ａｃｔｉｖｅ ＢＷＰ及び／又はヌメロロジーと関連する周期的及び／又は半永久的ＣＳＩ報告の構成情報に含まれた設定値のうち周期及びオフセット値は自動的に非活性化されて適用されないことがある。
【０３３８】
この場合、基地局は、変更されたＵＬ ａｃｔｉｖｅ ＢＷＰ及び／又はヌメロロジーによる周期又はオフセット値の少なくとも１つを含む構成情報を端末に送信することができ、端末は、基地局から受信した周期及び／又はオフセット値を適用してＣＳＩの報告を行うことができる。
【０３３９】
この場合、ＲＲＣ、ＭＡＣ又はＤＣＩなどを通じて基地局は新しい設定値を端末に送信することができる。
【０３４０】
すなわち、基地局は端末に新しい設定値を送信して変更されたＵＬ ａｃｔｉｖｅ ＢＷＰ及び／又はヌメロロジーと関連する設定値を再設定することができる。
【０３４１】
＜実施形態２＞
【０３４２】
ＵＬ ａｃｔｉｖｅ ＢＷＰ及び／又はヌメロロジーが変更される場合、変更されたＵＬ ａｃｔｉｖｅ ＢＷＰ及び／又はヌメロロジーと関連する設定は事前に設定された値によって再設定されることができる。
【０３４３】
具体的には、ＤＬ ａｃｔｉｖｅ ＢＷＰは固定であり、ＵＬ ａｃｔｉｖｅ ＢＷＰ及び／又はヌメロロジーが変更される場合、変更されるＵＬ ａｃｔｉｖｅ ＢＷＰ及び／又はヌメロロジーと関連する周期的及び／又は半永久的ＣＳＩ報告の構成情報に含まれた設定値のうち一部又は全部は事前に設定又は定義されたデフォルト値（default value）によって再設定されることができる。
【０３４４】
例えば、ＤＬ ａｃｔｉｖｅ ＢＷＰは固定であり、ＵＬ ａｃｔｉｖｅ ＢＷＰ及び／又はヌメロロジーは変更される場合、変更されたＵＬ ａｃｔｉｖｅ ＢＷＰ及び／又はヌメロロジーと関連する周期的及び／又は半永久的ＣＳＩ報告の構成情報に含まれた設定値のうち周期及びオフセット値は予め設定されたデフォルト値によって再設定されることができる。
【０３４５】
ここで、予め設定されたデフォルト値は、構成情報に含まれて端末に送信されるか、又は事前に予め設定されることができる。
【０３４６】
端末は、ＵＬ ａｃｔｉｖｅ ＢＷＰ及び／又はヌメロロジーが変更される場合、周期及びオフセット値を予め設定されたデフォルト値によって再設定してＣＳＩの報告を行うことができる。
【０３４７】
＜実施形態３＞
【０３４８】
ＵＬ ａｃｔｉｖｅ ＢＷＰ及び／又はヌメロロジーが変更される場合、既存に設定された設定値（例えば、周期及び／又はオフセット値など）は該当ＣＳＩの報告のための構成情報が設定された基準によって再設定されるか、解析されることができる。
【０３４９】
ここで、再設定されるか、解析される基準となる構成情報は、ＤＬ ＢＷＰのヌメロロジーを基準にしたスロットに基づいた周期及び／又はオフセット値（slot-based period/offset）になることができる。
【０３５０】
または、再設定される設定値は絶対時間（例えば、ミリセカンド又はサブフレーム）に定義されるか、特定ヌメロロジー（例えば、１５ｋＨｚサブキャリア間隔）に対するスロットを基準に定義されることができる。
【０３５１】
例えば、ヌメロロジー
0006911147.tif 000048
に対するＣＳＩ報告周期
0006911147.tif 000049
、オフセット
0006911147.tif 000050
は、１５ｋＨｚサブキャリア間隔で
0006911147.tif 000051
スロット及び
0006911147.tif 000052
に定義された値に基づいて以下の数式４のように定義されることができる。
【０３５２】
【数４】
0006911147.tif 000053
【０３５３】
このような方式により単一構成として１つ以上のＢＷＰ及び／又はヌメロロジーに対する周期及び／又はオフセット値の構成を端末に与えることができる。
【０３５４】
端末は、ＵＬ ａｃｔｉｖｅ ＢＷＰ及び／又はヌメロロジーが変更される場合、このような方法で変更されたＵＬ ａｃｔｉｖｅ ＢＷＰ及び／又はヌメロロジーに対する周期及び／又はオフセット値を導出して適用することができ、適用された設定値によってＣＳＩの報告を行うことができる。
【０３５５】
このような方法は、ＵＬ ａｃｔｉｖｅ ＢＷＰによって基地局及び端末の両側で導出されて用いられることができる。
【０３５６】
＜実施形態４＞
【０３５７】
前述した報告セッティング（Reporting Setting）で複数のヌメロロジー及び／又はＢＷＰに対する周期及び／又はオフセットの構成が設定されることができる。
【０３５８】
具体的には、報告セッティングにより複数のヌメロロジー及び／又はＢＷＰに対するそれぞれの設定値が端末に設定されることができる。
【０３５９】
端末は、ＵＬ ａｃｔｉｖｅ ＢＷＰ及び／又はヌメロロジーが変更される場合、報告セッティングにより設定された設定値のうち変更されたＵＬ ａｃｔｉｖｅ ＢＷＰ及び／又はヌメロロジーに対応する設定値を適用することができる。
【０３６０】
すなわち、基地局及び端末は、周期的又は半永久的ＣＳＩの報告時点の活性化されたＢＷＰ及び／又はヌメロロジーに対応する設定値（例えば、周期及び／又はオフセット値など）を用いて周期的又は半永久的ＣＳＩを基地局に報告することができる。
【０３６１】
このような設定はＲＲＣなどの報告設定に含まれて端末に送信されることができる。
【０３６２】
このような方法は、各ヌメロロジーに合う設定を基地局が端末に指定及び選択することができるので、設定方式の柔軟性（flexibility）を向上させることができる。
【０３６３】
実施形態４は、各ＵＬ ＢＷＰ及び／又はヌメロロジーによって相異なる周期及び／又はオフセット値を含む構成情報を端末に送信するか、報告設定自体をＵＬ ＢＷＰ及び／又はヌメロロジー毎にそれぞれ異なるように設定することにより行われることができる。
【０３６４】
＜実施形態５＞
【０３６５】
基地局は、ＭＡＣシグナリング及び／又はＤＣＩを通じて端末が用いる周期及び／又はオフセット値を指定することができる。
【０３６６】
具体的には、ＵＬ ａｃｔｉｖｅ ＢＷＰ及び／又はヌメロロジーが変更される場合、変更されたＵＬ ａｃｔｉｖｅ ＢＷＰ及び／又はヌメロロジーと関連する周期及び／又はオフセット値は基地局のＭＡＣシグナリング及び／又はＤＣＩを通じて設定されることができる。
【０３６７】
基地局及び端末は、ＭＡＣシグナリング及び／又はＤＣＩを通じて指定された周期及び／又はオフセット値を用いて周期的又は半永久的ＣＳＩを報告することができる。
【０３６８】
ＭＡＣシグナリング及び／又はＤＣＩは端末の活性化されたＢＷＰ（active BWP）シグナリングと共に送信されることができる。
【０３６９】
ここで、シグナリングオーバーヘッドを減らすためにＭＡＣシグナリング及び／又はＤＣＩのためのシグナリング候補（signaling candidate）をそれぞれＲＲＣ及び／又はＭＡＣシグナリングを通じて設定することができる。
【０３７０】
実施形態５は、明白な（explicit）周期及び／又はオフセット値だけでなく、既存又は基準周期及び／又はオフセット値に対して乗数（multiplier）をシグナリングする方法をさらに含むことができる。
【０３７１】
このような方法は、実際に適用する周期及び／又はオフセット値をダイナミックに直接選択する方法であり、端末の柔軟性を向上させることができる。
【０３７２】
本発明のさらに他の実施形態として、端末がＣＳＩを報告するためのＰＵＣＣＨ資源はＵＬ ＢＷＰそれぞれに割り当てられることができる。
【０３７３】
具体的には、基地局は、構成情報により端末がＣＳＩを報告するためのＰＵＣＣＨ資源を設定することができる。
【０３７４】
ここで、ＰＵＣＣＨ資源は。端末のＣＳＩの報告のためのＵＬ ＢＷＰそれぞれに割り当てされる（又は構成される）ことができる。
【０３７５】
端末は、割り当てられたＰＵＣＣＨ資源を通じてＣＳＩを報告することができる。
【０３７６】
すなわち、端末に設定されたＢＷＰに対してそれぞれＰＵＣＣＨ資源ＩＤが設定され、ここで、ＢＷＰは、ＤＬ、ＵＬ及び補助的（supplementary）ＵＬキャリア毎に最大４つまで設定される。
【０３７７】
ここで、ＰＵＣＣＨ資源の設定のための構成は、資源設定内のＲＲＣ構成により端末に送信されることができる。
【０３７８】
または、ＲＲＣ及び／又はＭＡＣを通じてＰＵＣＣＨ資源ＩＤの候補値が端末に送信され、ＭＡＣ又はＤＣＩを通じて与えられた候補値のうち１つが選択されてＣＳＩの報告のために用いられることができる。
【０３７９】
図１３は、本明細書で提案する方法が適用できる端末のＣＳＩ報告手順の一例を示すフローチャートである。図１３は、単に説明の便宜のためのものにすぎず、本発明の範囲を制限するものではない。
【０３８０】
図１３に示すように、端末は、基地局により設定された構成を通じて測定されたＣＳＩを基地局に報告することができる。
【０３８１】
具体的に、端末は、基地局からＣＳＩの報告に関する第１構成情報を受信することができる（Ｓ１３０１０）。
【０３８２】
ここで、第１構成情報は、ＣＳＩの報告のためのＢＷＰの設定値を含むことができ、設定値は、実施形態１ないし５で説明した周期及び／又はオフセット値を含むことができる。
【０３８３】
また、第１構成情報は、前述したように、ＣＳＩの報告のための資源に関する資源設定情報を含むことができ、ＣＳＩの報告のための資源は、ＣＳＩの報告のために活性化された少なくとも１つの帯域幅部分（bandwidth part：ＢＷＰ）毎にそれぞれ設定される。
【０３８４】
もし、ＣＳＩの報告のためのＵＬ ａｃｔｉｖｅ ＢＷＰ及び／又はヌメロロジーが変更される場合、実施形態１ないし５で説明した方法により変更されたＵＬ ａｃｔｉｖｅ ＢＷＰ及び／又はヌメロロジーに対する設定値が再設定されることができる。
【０３８５】
その後、端末は、第１構成情報に基づいてチャネルを測定することができ、測定されたチャネル状態情報であるＣＳＩを基地局に報告することができる（Ｓ１３０２０）。
【０３８６】
このような方法を用いてＣＳＩの報告の為の資源を設定することが出来、ＣＳＩの報告のためのＵＬ ａｃｔｉｖｅ ＢＷＰ及び／又はヌメロロジーが変更される場合も、これに関連する設定値を再設定することができる。
【０３８７】
これに関連して、該当端末は図１５及び図１６に示すような装置から構成されることができる。このような点を考慮すると、前述した図１３における動作は図１５及び図１６に示す装置により実行できる。
【０３８８】
例えば、プロセッサ１５２１（及び／又はプロセッサ１６１０）は、端末が基地局からＣＳＩの報告に関する第１構成情報を受信するように設定される（段階Ｓ１３１０）。また、プロセッサ１５２１（及び／又はプロセッサ１６１０）は、第１構成情報に基づいてチャネルを測定することができ、測定されたチャネル状態情報のＣＳＩを基地局に報告するように設定される（段階Ｓ１３２０）。
【０３８９】
図１４は、本明細書で提案する方法が適用できる基地局が端末からＣＳＩの報告を受ける手順の一例を示すフローチャートである。図１３は単に説明の便宜のためのものにすぎず、本発明の範囲を制限することがない。
【０３９０】
図１３に示すように、基地局は、ＣＳＩの報告のために端末に構成情報を送信することができ、端末から設定された構成により測定されたＣＳＩを受信することができる。
【０３９１】
具体的に、基地局は端末にＣＳＩの報告に関する第１構成情報を送信することができる（Ｓ１４０１０）。
【０３９２】
ここで、第１構成情報は、ＣＳＩの報告のためのＢＷＰの設定値を含むことができ、設定値は、実施形態１ないし５で説明した周期及び／又はオフセット値を含むことができる。
【０３９３】
また、第１構成情報は、前述したように、ＣＳＩの報告のための資源に関する資源設定情報を含むことができ、ＣＳＩの報告のための資源はＣＳＩの報告のために活性化された少なくとも１つの帯域幅部分（bandwidth part：ＢＷＰ）毎にそれぞれ設定される。
【０３９４】
もし、ＣＳＩの報告のためのＵＬ ａｃｔｉｖｅ ＢＷＰ及び／又はヌメロロジーが変更される場合、実施形態１ないし５で説明した方法により変更されたＵＬ ａｃｔｉｖｅ ＢＷＰ及び／又はヌメロロジーに対する設定値が再設定されることができる。
【０３９５】
その後、基地局は、端末から第１構成情報に基づいて測定されたチャネルに関する状態情報であるＣＳＩを受信することができる（Ｓ１４０２０）。
【０３９６】
このような方法を用いてＣＳＩの報告のための資源を設定することができ、ＣＳＩの報告のためのＵＬ ａｃｔｉｖｅ ＢＷＰ及び／又はヌメロロジーが変更される場合もこれに関連する設定値を再設定することができる。
【０３９７】
これに関連して、該当端末は図１５及び図１６に示すような装置から構成されることができる。このような点を考慮すると、前述した図１４における動作は図１５及び図１６に示す装置により実行できる。
【０３９８】
例えば、プロセッサ１５２１（及び／又はプロセッサ１６１０）は、基地局が端末にＣＳＩの報告に関する第１構成情報を送信できるように設定される（段階Ｓ１４１０）。また、プロセッサ１５２１（及び／又はプロセッサ１６１０）は、端末から第１構成情報に基づいて測定されたチャネルに関する状態情報であるＣＳＩを受信できるように設定される（段階Ｓ１４２０）。
【０３９９】
本発明が適用できる装置一般
【０４００】
図１５は、本明細書で提案する方法が適用できる無線通信装置のブロック構成図を例示する。
【０４０１】
図１５に示すように、無線通信システムは、基地局１５１０と基地局１５１０領域内に位置する複数の端末１５２０とを含む。
【０４０２】
前記基地局と端末はそれぞれ無線装置で表現されることもできる。
【０４０３】
基地局１５１０は、プロセッサ（processor）１５１１、メモリ（memory）１５１２及びＲＦモジュール（radio frequency module）１５１３を含む。プロセッサ１５１１は、図１ないし図２２において提案された機能、過程及び／又は方法を実現する。無線インタフェースプロトコルの階層はプロセッサにより実現されることができる。メモリ１５１２は、プロセッサに接続され、プロセッサを駆動するための多様な情報を保存する。ＲＦモジュール１５１３は、プロセッサに接続され、無線信号を送信及び／又は受信する。
【０４０４】
端末１５２０は、プロセッサ１５２１、メモリ１５２２及びＲＦモジュール１５２３を含む。
【０４０５】
プロセッサ１５２１は、図１ないし図１４で提案された機能、過程及び／又は方法を実現する。無線インタフェースプロトコルの階層は、プロセッサにより実現されることができる。メモリ１５２２は、プロセッサに接続され、プロセッサを駆動するための多様な情報を保存する。ＲＦモジュール１５２３は、プロセッサに接続され、無線信号を送信及び／又は受信する。
【０４０６】
メモリ１５１２、１５２２は、プロセッサ１５１１、１５２１の内部又は外部に位置し、周知の多様な手段でプロセッサ１５１１、１５２１に接続される。
【０４０７】
また、基地局１５１０及び／又は端末１５２０は、１つのアンテナ（single antenna）又は多重アンテナ（multiple antenna）を有することができる。
【０４０８】
図１６は、本発明の一実施形態による通信装置のブロック構成図を例示する。
【０４０９】
特に、図１６は、前述した図１５の端末をより詳細に例示する図である。
【０４１０】
図１６に示すように、端末は、プロセッサ（又はデジタル信号プロセッサ（digital signal processor：ＤＳＰ）１６１０、ＲＦモジュール（RF module）（又はＲＦユニット）１６３５、パワー管理モジュール（power management module）１６０５、アンテナ（antenna）１６４０、バッテリー（battery）１６５５、ディスプレイ（display）１６１５、キーパッド（keypad）１６２０、メモリ（memory）１６３０、ＳＩＭカード（SIM(Subscriber Identification Module) card）１６２５（この構成は選択的である）、スピーカ（speaker）１６４５、及びマイクロホン（microphone）１６５０を含むことができる。端末は、また、単一のアンテナ又は多重のアンテナを含むことができる。
【０４１１】
プロセッサ１６１０は、図１ないし図１４で提案された機能、過程及び／又は方法を実現する。無線インタフェースプロトコルの階層は、プロセッサにより実現される。
【０４１２】
メモリ１６３０は、プロセッサに接続され、プロセッサの動作に関する情報を保存する。メモリ１６３０は、プロセッサの内部又は外部に位置し、周知の様々な手段でプロセッサに接続される。
【０４１３】
ユーザは、例えば、キーパッド１６２０のボタンを押すか（又はタッチするか）又はマイクロホン１６５０を用いた音声駆動（voice activation）により電話番号などの命令情報を入力する。プロセッサは、このような命令情報を受信し、電話番号で電話をかけるなどの適切な機能を実行するように処理する。駆動上のデータ（operational data）はＳＩＭカード１６２５又はメモリ１６３０から抽出することができる。また、プロセッサは、ユーザの認知及び便宜上のために、命令情報又は駆動情報をディスプレイ１６１５上に表示する。
【０４１４】
ＲＦモジュール１６３５は、プロセッサに接続され、ＲＦ信号を送信及び／又は受信する。プロセッサは、通信を開始するために、例えば、音声通信データを構成する無線信号を送信するように命令情報をＲＦモジュールに伝達する。ＲＦモジュールは、無線信号を受信及び送信するために受信機（receiver）及び送信機（transmitter）から構成される。アンテナ１６４０は、無線信号を送信及び受信する機能を果たす。無線信号を受信するとき、ＲＦモジュールは、プロセッサにより処理するために信号を伝達し、ベースバンドに信号を変換することができる。処理された信号はスピーカ１６４５から出力される可聴又は可読情報に変換されることができる。
【０４１５】
図１７は、本明細書で提案する方法が適用できる無線通信装置のＲＦモジュールの一例を示す図である。
【０４１６】
具体的には、図１７は、ＦＤＤ（Frequency Division Duplex）システムで実現されるＲＦモジュールの一例を示す図である。
【０４１７】
まず、送信経路で、図１６及び図１７で記述されたプロセッサは、送信されるデータをプロセシングしてアナログ出力信号を送信機１７１０に提供する。
【０４１８】
送信機１７１０内で、アナログ出力信号は、デジタル−対−アナログ変換（ＡＤＣ）により発生するイメージを除去するためにローパスフィルタ（Low Pass Filter：ＬＰＦ）１７１１によりフィルタリングされ、上方変換器（Mixer）１７１２によりベースバンドからＲＦに上方変換され、可変利得増幅器（Variable Gain Amplifier：ＶＧＡ）１７１３により増幅され、増幅された信号はフィルタ１７１４によりフィルタリングされ、電力増幅器（Power Amplifier：ＰＡ）１７１５によりさらに増幅され、デュプレクサ（ら）１７５０／アンテナスイッチ（ら）１７６０を通じてルーティングされ、アンテナ１７７０を介して送信される。
【０４１９】
また、受信経路で、アンテナ１７７０は、外部から信号を受信して受信された信号を提供し、この信号はアンテナスイッチ（ら）１７６０／デュプレックサ１７５０を通じてルーティングされ、受信機１７２０に提供される。
【０４２０】
受信機１７２０内で、受信された信号は低雑音増幅器（Low Noise Amplifier：ＬＮＡ）１７２３により増幅され、バンドパスフィルタ１７２４によりフィルタリングされ、下方変換器（Mixer）１７２５によりＲＦからベースバンドに下方変換される。
【０４２１】
前記下方変換された信号は、ローパスフィルタ（ＬＰＦ）１７２６によりフィルタリングされ、ＶＧＡ１７２７により増幅されてアナログ入力信号を取得し、これは、図１５及び図１６で記述されたプロセッサに提供される。
【０４２２】
また、局部発振器（local oscillator：ＬＯ）発生器１７４０は、送信及び受信ＬＯ信号を発生して上方変換器１７１２及び下方変換器１７２５にそれぞれ提供する。
【０４２３】
さらに、位相ロックループ（Phase Locked Loop：ＰＬＬ）１７３０は、適切な周波数で送信及び受信ＬＯ信号を生成するためにプロセッサから制御情報を受信し、制御信号をＬＯ発生器１７４０に提供する。
【０４２４】
さらに、図１７に示す回路は、図１７に示す構成と異なるように配列されることもできる。
【０４２５】
図１８は、本明細書で提案する方法が適用できる無線通信装置のＲＦモジュールのまた他の一例を示す図である。
【０４２６】
具体的には、図１８は、ＴＤＤ（Time Division Duplex）システムで実現されるＲＦモジュールの一例を示す図である。
【０４２７】
ＴＤＤシステムにおけるＲＦモジュールの送信機１８１０及び受信機１８２０は、ＦＤＤシステムにおけるＲＦモジュールの送信機及び受信機の構造と同一である。
【０４２８】
以下、ＴＤＤシステムのＲＦモジュールは、ＦＤＤシステムのＲＦモジュールと異なる構造についてのみ説明し、同一の構造については図１７の説明を参照する。
【０４２９】
送信機の電力増幅器（Power Amplifier：ＰＡ）１８１５により増幅された信号はバンド選択スイッチ（Band Select Switch）１８５０、バンド通過フィルタ（ＢＰＦ）１８６０及びアンテナスイッチ（ら）１８７０を通じてルーティングされ、アンテナ１８８０を介して送信される。
【０４３０】
また、受信経路で、アンテナ１８８０は、外部から信号を受信して受信された信号を提供し、この信号は、アンテナスイッチ（ら）１８７０、バンド通過フィルタ１８６０及びバンド選択スイッチ１８５０を通じてルーティングされ、受信機１８２０に提供される。
【０４３１】
以上で説明された実施形態は本発明の構成要素と特徴が所定の形態に結合されたものである。各構成要素または特徴は別途の明示的な言及がない限り、選択的なものとして考慮されなければならない。各構成要素または特徴は他の構成要素や特徴と結合されない形態に実施できる。また、一部の構成要素及び／又は特徴を結合して本発明の実施形態を構成することも可能である。本発明の実施形態で説明される動作の順序は変更できる。ある実施形態の一部の構成や特徴は他の実施形態に含まれることができ、または他の実施形態の対応する構成または特徴と取替できる。特許請求範囲で明示的な引用関係がない請求項を結合して実施形態を構成するか、または出願後の補正により新たな請求項に含めることができることは自明である。
【０４３２】
本発明に従う実施形態は、多様な手段、例えば、ハードウェア、ファームウエア（firmware）、ソフトウェア、またはそれらの結合などにより具現できる。ハードウェアによる具現の場合、本発明の一実施形態は１つまたはその以上のＡＳＩＣｓ（application specific integrated circuits）、ＤＳＰｓ（digital signal processors）、ＤＳＰＤｓ（digital signal processing devices）、ＰＬＤｓ（programmable logic devices）、ＦＰＧＡｓ（field programmable gate arrays）、プロセッサ、コントローラー、マイクロコントローラー、マイクロプロセッサなどにより具現できる。
【０４３３】
ファームウエアやソフトウェアによる具現の場合、本発明の一実施形態は以上で説明された機能または動作を実行するモジュール、手続、関数などの形態に具現できる。ソフトウェアコードはメモリに格納されてプロセッサにより駆動できる。前記メモリは前記プロセッサの内部または外部に位置し、既に公知された多様な手段により前記プロセッサとデータをやり取りすることができる。
【０４３４】
本発明は本発明の必須的な特徴を逸脱しない範囲で他の特定の形態に具体化できることは通常の技術者に自明である。したがって、前述した詳細な説明は全ての面で制限的に解釈されてはならず、例示的なものとして考慮されなければならない。本発明の範囲は添付した請求項の合理的な解釈により決定されなければならず、本発明の等価的な範囲内での全ての変更は本発明の範囲に含まれる。
【産業上の利用可能性】
【０４３５】
本発明の無線通信システムにおいて参照信号をマッピングする方法は、３ＧＰＰ ＬＴＥ／ＬＴＥ−Ａシステム、５Ｇシステム（Ｎｅｗ ＲＡＴシステム）に適用される例を中心に説明したが、それ以外にも多様な無線通信システムに適用することができる。
【図１】
0006911147.tif 000054
【図２】
0006911147.tif 000055
【図３】
0006911147.tif 000056
【図４】
0006911147.tif 000057
【図５】
0006911147.tif 000058
【図６】
0006911147.tif 000059
【図７】
0006911147.tif 000060
【図８】
0006911147.tif 000061
【図９】
0006911147.tif 000062
【図１０】
0006911147.tif 000063
【図１１】
0006911147.tif 000064
【図１２】
0006911147.tif 000065
【図１３】
0006911147.tif 000066
【図１４】
0006911147.tif 000067
【図１５】
0006911147.tif 000068
【図１６】
0006911147.tif 000069
【図１７】
0006911147.tif 000070
【図１８】
0006911147.tif 000071